(57)【特許請求の範囲】
【請求項１】
ＶＯＤ受信機が、ＩＰ網／回線を介して、ＶＯＤサーバに接続するＶＯＤ制御方法であって、
プライベートチャネルリゾルバが、前記ＶＯＤ受信機によって送信されたコンテンツＩＤを受信し、該コンテンツＩＤに基づいてＶＯＤサーバ接続情報を解決するＶＯＤサーバ接続情報解決ステップと、
該プライベートチャネルリゾルバが、前記のコンテンツＩＤを送信したＶＯＤ受信機のＩＰ回線割り当てアドレスと当該ＶＯＤ受信機について予め設定されたＩＰ回線割り当てアドレスのネットワークプリフィックスとを比較して、ＶＯＤ受信機からのアクセスに対するユーザ認証を行うステップと、
該プライベートチャネルリゾルバが、該ＶＯＤ受信機に対して、該ＶＯＤサーバ接続情報を送信するステップと、
該ＶＯＤ受信機が該ＶＯＤサーバ接続情報を受信し、該ＶＯＤサーバ接続情報に対応するＶＯＤサーバに接続するステップと、を有し、
前記ＶＯＤサーバが、前記コンテンツＩＤを含むｉＳＣＳＩ接続情報要求をＣＩＤマネージャに対して送信し、
該ＣＩＤマネージャが、該ｉＳＣＳＩ接続情報要求を受信し、該コンテンツＩＤに対応するｉＳＣＳＩ接続情報を解決し、該ＩＳＣＳＩ接続情報を該ＶＯＤサーバに送信し、
該ＶＯＤサーバが、該ＩＳＣＳＩ接続情報に基づいて、ｉＳＣＳＩストレージ装置に接続すること、
を特徴とするＶＯＤ制御方法。
【請求項２】
ＩＰ網／回線を介してＶＯＤ受信機をＶＯＤサーバに接続するためのプライベートチャネルリゾルバが、前記ＶＯＤ受信機によって送信されたコンテンツＩＤを受信し、該コンテンツＩＤに基づいてＶＯＤサーバ接続情報を解決するＶＯＤサーバ接続情報解決ステップと、
該プライベートチャネルリゾルバが、前記のコンテンツＩＤを送信したＶＯＤ受信機のＩＰ回線割り当てアドレスと当該ＶＯＤ受信機について予め設定されたＩＰ回線割り当てアドレスのネットワークプリフィックスとを比較して、ＶＯＤ受信機からのアクセスに対するユーザ認証を行うステップと、
該プライベートチャネルリゾルバが、該ＶＯＤ受信機に対して、該ＶＯＤサーバ接続情報を送信するステップと、
該ＶＯＤ受信機が該ＶＯＤサーバ接続情報を受信し、該ＶＯＤサーバ接続情報に対応するＶＯＤサーバに接続するステップと、
により前記ＶＯＤ受信機をＶＯＤサーバに接続し、
第１ＩＰ及び第２ＩＰ対応デュアルスタック端末から第１ＩＰ網及び第２ＩＰ網／回線を介して映像コンテンツ視聴を準備する映像コンテンツ視聴準備方法であって、
前記第１ＩＰ及び第２ＩＰ対応デュアルスタック端末が、ＷＥＢサーバに対して、一意のコンテンツＩＤを含む映像コンテンツ視聴要求を、第１ＩＰ網を介して送信するステップと、
該ＷＥＢサーバが、該映像コンテンツ視聴要求を受信し、該映像コンテンツ視聴要求に対応し該コンテンツＩＤを含む電子チケット発券要求をチケットサーバに対して送信するステップと、
該チケットサーバが、該電子チケット発券要求を受信し、該電子チケット発券要求に対応し該コンテンツＩＤを含むコンテンツ視聴準備要求をＶＯＤシステムに対して送信するステップと、
該ＶＯＤシステムが、該コンテンツ視聴準備要求を受信し、該ＶＯＤシステムのＶＯＤサーバ名を含む視聴準備完了をチケットサーバに対して送信するステップと、
該チケットサーバが、該視聴準備完了を受信し、認証サーバに対して、ワンタイムＩＤ及びワンタイムＰＷ発行要求を送信するステップと、
該認証サーバが、該ワンタイムＩＤ及びワンタイムＰＷ発行要求を受信し、ワンタイムＩＤ及びワンタイムＰＷを生成し、該ワンタイムＩＤ及びワンタイムＰＷを該チケットサーバに対して送信するステップと、
該チケットサーバが、該ワンタイムＩＤ及びワンタイムＰＷを受信し、該ワンタイムＩＤ及びワンタイムＰＷを含む第１電子チケットを発券し、該第１電子チケットを該ＷＥＢサーバに対して送信するステップと、
該ＷＥＢサーバが、該第１電子チケットを受信し、該第１ＩＰ及び第２ＩＰ対応デュアルスタック端末に対して、第１電子チケットを送信するステップと、
該第１ＩＰ及び第２ＩＰ対応デュアルスタック端末が、該第１電子チケットを受信し、該第１電子チケットに対し該ＶＯＤ受信機が使用する回線に付与された第２ＩＰ回線割り当てアドレスを含めて第２電子チケットを作成し、該第２電子チケットを該ＶＯＤシステムに対して第２ＩＰ網／回線を介して、送信するステップと、
該ＶＯＤシステムが、該第２電子チケットを受信し、該認証サーバに対して、該ワンタイムＩＤ及びワンタイムＰＷを含む認証要求を送信するステップと、
該認証サーバが、該ワンタイムＩＤ及びワンタイムＰＷを受信し、該ワンタイムＩＤ及びワンタイムＰＷに基づく認証を行い、認証完了をＶＯＤシステムに対して送信するステップと、
該ＶＯＤシステムが、該認証完了を受信し、該第１ＩＰ及び第２ＩＰ対応デュアルスタック端末に対して、映像コンテンツ視聴準備完了通知を送信するステップと、を有する、
ことを特徴とする映像コンテンツ視聴準備方法。
【請求項３】
ＩＰ網／回線を介してＶＯＤ受信機をＶＯＤサーバに接続するためのプライベートチャネルリゾルバが、前記ＶＯＤ受信機によって送信されたコンテンツＩＤを受信し、該コンテンツＩＤに基づいてＶＯＤサーバ接続情報を解決するＶＯＤサーバ接続情報解決ステップと、
該プライベートチャネルリゾルバが、前記のコンテンツＩＤを送信したＶＯＤ受信機のＩＰ回線割り当てアドレスと当該ＶＯＤ受信機について予め設定されたＩＰ回線割り当てアドレスのネットワークプリフィックスとを比較して、ＶＯＤ受信機からのアクセスに対するユーザ認証を行うステップと、
該プライベートチャネルリゾルバが、該ＶＯＤ受信機に対して、該ＶＯＤサーバ接続情報を送信するステップと、
該ＶＯＤ受信機が該ＶＯＤサーバ接続情報を受信し、該ＶＯＤサーバ接続情報に対応するＶＯＤサーバに接続するステップと、
により前記ＶＯＤ受信機をＶＯＤサーバに接続し、
携帯電話から映像コンテンツ視聴を携帯電話網及びＩＰ網／回線を介して準備する映像コンテンツ視聴準備方法であって、
前記の携帯電話が、所望の映像コンテンツのコンテンツＩＤ，プライベートチャネルエージェントに対するアクセス情報を入手するステップと、
該携帯電話が、該入手したアクセス情報に基づいて、プライベートチャネルエージェントに対してアクセスし、該コンテンツＩＤ，該携帯電話の電話番号を含む映像コンテンツ視聴要求を送信するステップと、
該プライベートチャネルエージェントが、該映像コンテンツ視聴要求を受信し、ＶＯＤシステムに対し、コンテンツ視聴準備要求をＩＰ網／回線を介して送信するステップと、
該ＶＯＤシステムが、該コンテンツ視聴準備要求を受信し、該ＶＯＤシステムのＶＯＤサーバ名を含むコンテンツ視聴準備完了を該プライベートチャネルエージェントに対して送信するステップと、
該プライベートチャネルエージェントが、該コンテンツ視聴準備完了を受信し、ＦＭ−ＤＢに対して、該携帯電話の電話番号を含む問い合わせを送信するステップと、
該ＦＭ−ＤＢが、該問い合わせを受信し、該電話番号に対応する回線割り当てアドレスを取得し、該プライベートチャネルエージェントに対して、該回線割り当てアドレスを送信するステップと、
該プライベートチャネルエージェントが、該回線割り当てアドレスを受信し、プライベートチャネル設定情報を作成し、該プライベートチャネル設定情報を前記ＶＯＤシステム対して送信するステップと、
該ＶＯＤシステムが、該プライベートチャネル設定情報を受信し、該プライベートチャネル設定情報をプライベートチャネルと見做して設定し、該プライベートチャネルエージェントに対して該プライベートチャネル設定完了を送信するステップと、
該プライベートチャネルエージェントが、該プライベートチャネル設定完了を受信し、該携帯電話に対して、映像コンテンツ視聴準備完了通知を送信するステップと、を有する、
ことを特徴とする映像コンテンツ視聴準備方法。
【請求項４】
ＩＰ網／回線を介してＶＯＤ受信機をＶＯＤサーバに接続するためのプライベートチャネルリゾルバが、前記ＶＯＤ受信機によって送信されたコンテンツＩＤを受信し、該コンテンツＩＤに基づいてＶＯＤサーバ接続情報を解決するＶＯＤサーバ接続情報解決ステップと、
該プライベートチャネルリゾルバが、前記のコンテンツＩＤを送信したＶＯＤ受信機のＩＰ回線割り当てアドレスと当該ＶＯＤ受信機について予め設定されたＩＰ回線割り当てアドレスのネットワークプリフィックスとを比較して、ＶＯＤ受信機からのアクセスに対するユーザ認証を行うステップと、
該プライベートチャネルリゾルバが、該ＶＯＤ受信機に対して、該ＶＯＤサーバ接続情報を送信するステップと、
該ＶＯＤ受信機が該ＶＯＤサーバ接続情報を受信し、該ＶＯＤサーバ接続情報に対応するＶＯＤサーバに接続するステップと、
により前記ＶＯＤ受信機をＶＯＤサーバに接続し、
ストレージ装置に蓄積された映像コンテンツファイルに対応するコンテンツＩＤをＷＥＢページに登録して、該映像コンテンツファイルを公開するコンテンツ公開方法であって、
第１ＩＰ及び第２ＩＰ対応デュアルスタック端末が、前記映像コンテンツファイルのファイル名，該ｉＳＣＳＩ  ｇａｔｅｗａｙ装置のｉＳＣＳＩ接続パラメータ及び第２ＩＰ回線割り当てアドレスを含むコンテンツＩＤ発行要求を、第２ＩＰ網／回線を介して、ＣＩＤマネージャに対して送信するステップと、
該ＣＩＤマネージャが、該コンテンツＩＤ発行要求を受信し、該第２ＩＰ回線割り当てアドレスと該映像コンテンツファイルのファイル名の組み合わせに基づいて、一意になるコンテンツＩＤを発行し、
該ＣＩＤマネージャが、前記コンテンツＩＤ，前記のｉＳＣＳＩ接続パラメータ，前記の第２ＩＰ回線割り当てアドレスの組み合わせを該ＣＩＤマネージャ自体に登録し、
該コンテンツＩＤを前記第１ＩＰ及び第２ＩＰ対応デュアルスタック端末に対して送信するステップと、
該第１ＩＰ及び第２ＩＰ対応デュアルスタック端末が、該コンテンツＩＤを受信し、該コンテンツＩＤを該ＷＥＢサーバのＷＥＢページに、第１ＩＰ網を介して登録するステップと、
該ＷＥＢサーバが、該登録を受けて、コンテンツＩＤ登録完了を該第１ＩＰ及び第２ＩＰ対応デュアルスタック端末に対して送信するステップと、
該ＷＥＢページに登録されたコンテンツＩＤが、閲覧端末から選択され、該ＶＯＤサーバが、該選択されたコンテンツＩＤに対応するストレージ装置に対する接続要求を受信するステップと、
該ＶＯＤサーバが、該ＣＩＤマネージャに対して、該コンテンツＩＤ及び第２ＩＰ回線割り当てアドレスに対応したｉＳＣＳＩ  ｇａｔｅｗａｙ装置に係るｉＳＣＳＩ接続情報要求を送信するステップと、
該ＣＩＤマネージャが、該ｉＳＣＳＩ接続情報要求を受信し、該第２ＩＰ回線割り当てアドレスを含むｉＳＣＳＩ接続情報を、該ＶＯＤサーバに対して送信するステップと、
該ＶＯＤサーバが、該ｉＳＣＳＩ接続情報を受信し、該ｉＳＣＳＩ接続情報に基づいて、該ｉＳＣＳＩ  ｇａｔｅｗａｙ装置に対し、ｉＳＣＳＩ接続要求を送信するステップを有すること、
を特徴とする映像コンテンツ公開方法。
【請求項５】
ＩＰ網／回線を介してＶＯＤ受信機をＶＯＤサーバに接続するためのプライベートチャネルリゾルバが、前記ＶＯＤ受信機によって送信されたコンテンツＩＤを受信し、該コンテンツＩＤに基づいてＶＯＤサーバ接続情報を解決するＶＯＤサーバ接続情報解決ステップと、
該プライベートチャネルリゾルバが、前記のコンテンツＩＤを送信したＶＯＤ受信機のＩＰ回線割り当てアドレスと当該ＶＯＤ受信機について予め設定されたＩＰ回線割り当てアドレスのネットワークプリフィックスとを比較して、ＶＯＤ受信機からのアクセスに対するユーザ認証を行うステップと、
該プライベートチャネルリゾルバが、該ＶＯＤ受信機に対して、該ＶＯＤサーバ接続情報を送信するステップと、
該ＶＯＤ受信機が該ＶＯＤサーバ接続情報を受信し、該ＶＯＤサーバ接続情報に対応するＶＯＤサーバに接続するステップと、
により前記ＶＯＤ受信機が接続されるＶＯＤサーバであって、
映像コンテンツファイルを蓄積したｉＳＣＳＩストレージ装置に接続されたＶＯＤサーバであって、
前記ＶＯＤサーバは、受信した再生要求に応じて、前記ｉＳＣＳＩストレージ装置に対してｉＳＣＳＩ接続を行い、
該ｉＳＣＳＩストレージ装置から前記映像コンテンツファイルを読み出し、
該映像コンテンツファイルを所定のＶＯＤ受信機に配信すること、
を特徴とするＶＯＤサーバ。
【請求項６】
ＶＯＤサーバに仮想専用サーバが含まれることを特徴とする請求項５に記載のＶＯＤサーバ。
【請求項７】
ＶＯＤ受信機からＩＰ網／回線を介してＶＯＤサーバに対して接続するＶＯＤシステムであって、
前記ＶＯＤ受信機が、コンテンツＩＤをプライベートチャネルリゾルバに対して送信する手段と、
該プライベートチャネルリゾルバが、該コンテンツＩＤを受信し、該コンテンツＩＤに対応した前記ＶＯＤサーバの名前を解決するＶＯＤサーバ名解決手段と、
該プライベートチャネルリゾルバが、前記のコンテンツＩＤを送信したＶＯＤ受信機のＩＰ回線割り当てアドレスと当該ＶＯＤ受信機について予め設定されたＩＰ回線割り当てアドレスのネットワークプリフィックスとを比較して、ＶＯＤ受信機からのアクセスに対するユーザ認証を行う手段と、
該プライベートチャネルリゾルバが、該ＶＯＤ受信機に対して該ＶＯＤサーバの名前を送信する手段と、
該ＶＯＤ受信機が該ＶＯＤサーバの名前に対応するＶＯＤサーバに対して接続する手段と、
前記ＶＯＤサーバが、ＣＩＤマネージャに対して、前記コンテンツＩＤを含むｉＳＣＳＩ接続情報要求を送信する手段と、
該ＣＩＤマネージャが、該ｉＳＣＳＩ接続情報要求を受信し、該コンテンツＩＤに対応するｉＳＣＳＩ接続情報を解決し、該ＩＳＣＳＩ接続情報を該ＶＯＤサーバに対して送信する手段と、
該ＶＯＤサーバが、該ｉＳＣＳＩ接続情報に基づいて、ｉＳＣＳＩストレージ装置に接続する手段と、
を有することを特徴とする記載のＶＯＤシステム。
【請求項８】
ＩＰ網／回線を介してＶＯＤサーバに対して接続されるＶＯＤ受信機が、コンテンツＩＤをプライベートチャネルリゾルバに対して送信する手段と、
該プライベートチャネルリゾルバが、該コンテンツＩＤを受信し、該コンテンツＩＤに対応した前記ＶＯＤサーバの名前を解決するＶＯＤサーバ名解決手段と、
プライベートチャネルリゾルバが、前記のコンテンツＩＤを送信したＶＯＤ受信機のＩＰ回線割り当てアドレスと当該ＶＯＤ受信機について予め設定されたＩＰ回線割り当てアドレスのネットワークプリフィックスとを比較して、ＶＯＤ受信機からのアクセスに対するユーザ認証を行う手段と、
該プライベートチャネルリゾルバが、該ＶＯＤ受信機に対して該ＶＯＤサーバの名前を送信する手段と、
該ＶＯＤ受信機が該ＶＯＤサーバの名前に対応するＶＯＤサーバに対して接続する手段と、
を有するＶＯＤシステムから、ＶＯＤ受信機が映像コンテンツの配信を受ける映像コンテンツ視聴システムであって、
チケットサーバが、
電子チケット発券要求を受信し、該電子チケット発券要求に対応しコンテンツＩＤを含むコンテンツの視聴準備を前記ＶＯＤシステムに対して送信する手段と、
ワンタイムＩＤ及びワンタイムＰＷを受信し、該ワンタイムＩＤ及びワンタイムＰＷを含む第１電子チケットを発券し、該第１電子チケットをＷＥＢサーバに対して送信する手段と、
視聴準備完了を受信し、認証サーバに対して、ワンタイムＩＤ及びワンタイムＰＷ発行要求を送信する手段と、
を有し、
該ＷＥＢサーバが、
映像コンテンツ視聴要求を受信し、該映像コンテンツ視聴要求に対応し該コンテンツＩＤを含む電子チケット発券要求をチケットサーバに対して送信する手段と、
該第１電子チケットを受信し、第１ＩＰ及び第２ＩＰ対応デュアルスタック端末に対して、第１電子チケットを送信する手段と、
を有し、
該第１ＩＰ及び第２ＩＰ対応デュアルスタック端末が、
該ＷＥＢサーバに対し第１ＩＰ網を介して、一意のコンテンツＩＤを含む該映像コンテンツ視聴要求を送信する手段と、
該第１電子チケットを受信し、該第１電子チケットに対し前記ＶＯＤ受信機が使用する回線に付与された第２ＩＰ回線割り当てアドレスを含めて第２電子チケットを作成し、該第２電子チケットを該ＶＯＤシステムに対して第２ＩＰ網／回線を介して、送信する手段と、
を有し、
該認証サーバが、
該ワンタイムＩＤ及びワンタイムＰＷ発行要求を受信し、ワンタイムＩＤ及びワンタイムＰＷを生成し、該ワンタイムＩＤ及びワンタイムＰＷを該チケットサーバに対して送信する手段と、
該ワンタイムＩＤ及びワンタイムＰＷを受信し、該ワンタイムＩＤ及びワンタイムＰＷに基づく認証を行い、認証完了をＶＯＤシステムに対して送信する手段と、
を有し、
該ＶＯＤシステムが、
該コンテンツ視聴準備要求を受信し、該ＶＯＤシステムの該ＶＯＤサーバ名を含む視聴準備完了をチケットサーバに対して送信する手段と、
該第２電子チケットを受信し、該認証サーバに対して、該ワンタイムＩＤ及びワンタイムＰＷを含む認証要求を送信する手段と、
該認証完了を受信し、該第１ＩＰ及び第２ＩＰ対応デュアルスタック端末に対して、映像コンテンツ視聴準備完了通知を送信する手段と、
を有する、
ことを特徴とする映像コンテンツ視聴システム。
【請求項９】
ＩＰ網／回線を介してＶＯＤサーバに対して接続されるＶＯＤ受信機が、コンテンツＩＤをプライベートチャネルリゾルバに対して送信する手段と、
該プライベートチャネルリゾルバが、該コンテンツＩＤを受信し、該コンテンツＩＤに対応した前記ＶＯＤサーバの名前を解決するＶＯＤサーバ名解決手段と、
プライベートチャネルリゾルバが、前記のコンテンツＩＤを送信したＶＯＤ受信機のＩＰ回線割り当てアドレスと当該ＶＯＤ受信機について予め設定されたＩＰ回線割り当てアドレスのネットワークプリフィックスとを比較して、ＶＯＤ受信機からのアクセスに対するユーザ認証を行う手段と、
該プライベートチャネルリゾルバが、該ＶＯＤ受信機に対して該ＶＯＤサーバの名前を送信する手段と、
該ＶＯＤ受信機が該ＶＯＤサーバの名前に対応するＶＯＤサーバに対して接続する手段と、
を有するＶＯＤシステムから、ＶＯＤ受信機が映像コンテンツの配信を受ける映像コンテンツ視聴システムであって、
携帯電話が、
所望の映像コンテンツのコンテンツＩＤ，プライベートチャネルエージェントに対するアクセス情報を入手する手段と、
該入手したアクセス情報に基づいて、プライベートチャネルエージェントに対してアクセスし、該コンテンツＩＤ，該携帯電話の電話番号を含む映像コンテンツ視聴要求を送信する手段と、
を有し、
該プライベートチャネルエージェントが、
該映像コンテンツ視聴要求を受信し、前記ＶＯＤシステムに対し、コンテンツ視聴準備要求をＩＰ網／回線を介して送信する手段と、
コンテンツ視聴準備完了を受信し、ＦＭ−ＤＢに対して、該携帯電話の電話番号を含む問い合わせを送信する手段と、
回線割り当てアドレスを受信し、プライベートチャネル設定情報を作成し、該プライベートチャネル設定情報をＶＯＤシステムに対して送信する手段と、
プライベートチャネル設定完了を受信し、該携帯電話に対して、映像コンテンツ視聴準備完了を送信する手段と、
を有し、
該ＶＯＤシステムが、
該コンテンツ視聴準備要求を受信し、該ＶＯＤシステムのＶＯＤサーバ名を含むコンテンツ視聴準備完了を該プライベートチャネルエージェントに対して送信する手段と、
該プライベートチャネル設定情報を受信し、該プライベートチャネル設定情報をプライベートチャネルと見做して設定し、該プライベートチャネルエージェントに対して該プライベートチャネル設定完了を送信する手段と、
を有し、
該ＦＭ−ＤＢが、
該問い合わせを受信し、該電話番号に対応する回線割り当てアドレスを取得し、該プライベートチャネルエージェントに対して、該回線割り当てアドレスを送信する手段と、
を有する、
ことを特徴とする映像コンテンツ視聴システム。
【請求項１０】
ストレージ装置に蓄積されたコンテンツファイルに対応するコンテンツＩＤをＷＥＢページに登録して、該コンテンツファイルを公開し、
ＩＰ網／回線を介してＶＯＤサーバに対して接続されるＶＯＤ受信機が、コンテンツＩＤをプライベートチャネルリゾルバに対して送信する手段と、
該プライベートチャネルリゾルバが、該コンテンツＩＤを受信し、該コンテンツＩＤに対応した前記ＶＯＤサーバの名前を解決するＶＯＤサーバ名解決手段と、
プライベートチャネルリゾルバが、前記のコンテンツＩＤを送信したＶＯＤ受信機のＩＰ回線割り当てアドレスと当該ＶＯＤ受信機について予め設定されたＩＰ回線割り当てアドレスのネットワークプリフィックスとを比較して、ＶＯＤ受信機からのアクセスに対するユーザ認証を行う手段と、
該プライベートチャネルリゾルバが、該ＶＯＤ受信機に対して該ＶＯＤサーバの名前を送信する手段と、
該ＶＯＤ受信機が該ＶＯＤサーバの名前に対応するＶＯＤサーバに対して接続する手段と、
を有するＶＯＤシステムから、ＶＯＤ受信機が映像コンテンツの配信を受ける映像コンテンツ公開システムであって、
第１ＩＰ及び第２ＩＰ対応デュアルスタック端末が、
前記ストレージ装置に接続する手段と、
前記コンテンツファイルのファイル名，ｉＳＣＳＩ  ｇａｔｅｗａｙ装置のｉＳＣＳＩ接続パラメータ及び第２ＩＰ回線割り当てアドレスを含むコンテンツＩＤ発行要求を、第２ＩＰ網／回線を介して、ＣＩＤマネージャに対して送信する手段と、
前記コンテンツＩＤを受信し、該コンテンツＩＤをＷＥＢサーバの前記ＷＥＢページに、第１ＩＰ網を介して、登録する手段と、
接続された該ストレージ装置を切り離す手段と、
を有し、
該ＣＩＤマネージャが、
該コンテンツＩＤ発行要求を受信し、該第２ＩＰ回線割り当てアドレスと該コンテンツファイルのファイル名の組み合わせに基づいて、一意になるコンテンツＩＤを発行し、該コンテンツＩＤ，該ｉＳＣＳＩ接続パラメータ，前記の第２ＩＰ回線割り当てアドレスの組み合わせを該ＣＩＤマネージャ自体に登録し、該コンテンツＩＤを該第１ＩＰ及び第２ＩＰ対応デュアルスタック端末に対して送信する手段と、
該ｉＳＣＳＩ接続情報要求を受信し、第２ＩＰ回線割り当てアドレスを含むｉＳＣＳＩ接続情報を、該ＶＯＤサーバに対して送信する手段と、
を有し、
該ＷＥＢサーバが、
該コンテンツＩＤ登録を受けて、コンテンツＩＤ登録完了を該第１ＩＰ及び第２ＩＰ対応デュアルスタック端末に対して送信する手段と、
第１ＩＰ網上の閲覧端末を介して該ＷＥＢサーバ上のＷＥＢページに対してアクセスされる手段と、
を有し、
該ｉＳＣＳＩ  ｇａｔｅｗａｙ装置が、
該ストレージ装置と接続する手段、
を有し、
該ＶＯＤサーバが、
該コンテンツＩＤに対応するストレージ装置に係る接続要求を受信する手段と、
該ＣＩＤマネージャに対して、該コンテンツＩＤ及び第２ＩＰ回線割り当てアドレスに対応したｉＳＣＳＩ  ｇａｔｅｗａｙ装置に係るｉＳＣＳＩ接続情報要求を送信する手段と、
該ｉＳＣＳＩ接続情報を受信し、該ｉＳＣＳＩ接続情報に基づいて、該ｉＳＣＳＩ  ｇａｔｅｗａｙ装置に対し、ｉＳＣＳＩ接続要求を送信する手段と、
を有する、
ことを特徴とする映像コンテンツ公開システム。
【発明の詳細な説明】
【技術分野】
【０００１】
本発明は、ＶＯＤ制御方法，映像コンテンツ視聴準備方法，映像コンテンツ公開方法，ＶＯＤサーバ，ＶＯＤシステム，映像コンテンツ視聴システム，映像コンテンツ公開システムであって、例えば、映像配信に関するものである。
【背景技術】
【０００２】
現在、インターネット上のマルチメディアサービスにおいて、ＳＡＮ（Ｓｔｏｒａｇｅ  Ａｒｅａ  Ｎｅｔｗｏｒｋ），ＶＯＤ（Ｖｉｄｅｏ  Ｏｎ  Ｄｅｍａｎｄ），サーバ仮想化は、重要な要素技術となっている。
【０００３】
一つ目の要素技術であるＳＡＮは、その一部に現行のストレージ装置が使用されている。その使用されるストレージ装置は、単体もしくは複数のハードディスクドライブの集合体、或いは、専用の制御部によって複数のハードディスクドライブを制御するディスクアレイ装置から構成されている。
【０００４】
前記ストレージ装置とホスト装置（例えば、サーバやパーソナルコンピュータ）間を接続するインタフェース技術としては、ファイバチャネル（Ｆｉｂｒｅ  Ｃｈａｎｎｅｌ；以下、ＦＣと略す），インフィニバンド（ＩｎｆｉｎｉＢａｎｄ），ＳＣＳＩ（Ｓｍａｌｌ  Ｃｏｍｐｕｔｅｒ  Ｓｙｓｔｅｍｓ  Ｉｎｔｅｒｆａｃｅ）などが知られている。
【０００５】
特に、前記のＳＣＳＩは、近距離接続を安価に実現する用途として優れており、既に、市場に広く普及している。前記のＳＣＳＩでは、クライアントに相当する機能をイニシエータ（Ｉｎｉｔｉａｔｏｒ）、サーバに相当する機能をターゲット（ｔａｒｇｅｔ）、とそれぞれ呼称している。そして、前記のイニシエータとターゲット間で、ＳＣＳＩコマンド（即ち、ＣＤＢ（Ｃｏｍｍａｎｄ  Ｄｅｓｃｒｉｐｔｏｒ  Ｂｌｏｃｋ）を交換して接続を実現している。
【０００６】
２００３年には、一般的なネットワークプロトコルの一つであるＴＣＰ／ＩＰ（Ｔｒａｎｓｍｉｓｓｉｏｎ  Ｃｏｎｔｒｏｌ  Ｐｒｏｔｏｃｏｌ／Ｉｎｔｅｒｎｅｔ  Ｐｒｏｔｏｃｏｌ）上で、ＳＣＳＩ処理を実現する上位プロトコル規格ｉＳＣＳＩ（ｉｎｔｅｒｎｅｔ  ＳＣＳＩ）が、ＩＥＴＦ（Ｔｈｅ  Ｉｎｔｅｒｎｅｔ  Ｅｎｇｉｎｅｅｒｉｎｇ  Ｔａｓｋ  Ｆｏｒｃｅ）  ＲＦＣ（Ｒｅｑｕｅｓｔ  ｆｏｒ  Ｃｏｍｍｅｎｔｓ）３７２０として標準化されている。
【０００７】
ｉＳＣＳＩ技術は、ギガビット以上の回線品質の基幹回線（例えば、データセンタ内回線，データセンタ間回線，大規模ＬＡＮ（Ｌｏｃａｌ  Ａｒｅａ  Ｎｅｔｗｏｒｋ）システム）で利用されている（例えば、非特許文献１参照）が、該ｉＳＣＳＩ技術をコンシューマ向けアクセス回線（例えば、ブロードバンド回線）上のサービスとして、端末−サーバ間，端末−端末間で適応している例は存在していない。
【０００８】
一方、国内ではＦＴＴＨ（Ｆｉｂｅｒ  Ｔｏ  Ｔｈｅ  Ｈｏｍｅ）回線の普及と高速化が進行中であり、例えば、１００ＢＡＳＥ−ＴＸをユーザ端末インタフェースとするサービスが実用化済みである。そして、近い将来、都市部において、ＦＴＴＨ回線を使用したネットワークのギガビット化も想定されている。
【０００９】
二つ目の要素技術であるＶＯＤは、ＦＴＴＨ回線（即ち、ブロードバンドＩＰ（Ｉｎｔｅｒｎｅｔ  Ｐｒｏｔｏｃｏｌ）網）の普及に伴い、コンシューマ向けにＭＰＥＧ２（Ｍｏｖｉｎｇ  Ｐｉｃｔｕｒｅ  Ｅｘｐｅｒｔｓ  Ｇｒｏｕｐ  ｐｈａｓｅ  ２）等のデジタル圧縮技術を用いたストリーミング映像配信サービスとして実用開始されている。
【００１０】
該ＶＯＤサービスの主目的は、レンタルビデオ，ＣＳ（Ｃｏｍｍｕｎｉｃａｔｉｏｎ  Ｓａｔｅｌｌｉｔｅ）放送，ＢＳ（Ｂｒｏａｄｃａｓｔｉｎｇ  Ｓａｔｅｌｌｉｔｅ）放送，ＣＡＴＶ（Ｃｏｍｍｕｎｉｔｙ  Ａｎｔｅｎｎａ  ＴｅｌｅＶｉｓｉｏｎ）放送などで提供されているプレミアムコンテンツ（例えば、映画）をブロードバンド（例えば、ＦＴＴＨ）回線を介して、家庭に直接提供することである。即ち、利用者は、テレビ受像機に接続されたセットトップボックス（ＳＴＢ（Ｓｅｔ  Ｔｏｐ  Ｂｏｘ））を、所望のコンテンツが搭載されたサーバ装置に対して随時接続して視聴することができる。
【００１１】
該ＶＯＤサービスで使用するＳＴＢは、ＩＰネットワーク上の汎用プロトコル（例えば、ＲＴＰ（Ｒｅａｌ−ｔｉｍｅ  Ｔｒａｎｓｐｏｒｔ  Ｐｒｏｔｏｃｏｌ），ＲＴＣＰ（ＲＴＰ  Ｃｏｎｔｒｏｌ  Ｐｒｏｔｏｃｏｌ），ＨＴＴＰ（ＨｙｐｅｒＴｅｘｔ  Ｔｒａｎｓｆｅｒ  Ｐｒｏｔｏｃｏｌ））などを実装しているため、映像通信機器としての高い汎用性が知られている。
【００１２】
コンシューマ向けに提供されているＶＯＤシステムは、主にプレミアムコンテンツや特定用途向けで、数量限定されたユーザ共通コンテンツ（例えば、教育ビデオ）の提供を目的としている。このため、前記ＶＯＤシステムでは、コンテンツ群を集中管理（即ち、搭載）でき、複数端末の同時接続又は同時再生する処理能力が高く、かつ、高価なＶＯＤサーバによってサービスを提供している。
【００１３】
ここで、従来のＶＯＤシステムの基本構成を図１０及び図１１に基づいて以下に説明する。前記のＶＯＤシステムは、図１０中のＶＯＤサーバ（即ち、映像配信サーバ）４，番組情報を配信するサーバ（以後、番組配信サーバと称する）１６，コモンストレージ１７から構成される。なお、前記ＶＯＤサーバ４とコモンストレージ１７間は、常時接続されているものとする。
【００１４】
ＶＯＤサービスを受ける視聴者（以後、ＶＯＤ視聴者と称する）１８は、該ＶＯＤサービス用のＳＴＢ２を使って、ＩＰｖ６網／ＦＴＴＨ回線１０１を介し、ＶＯＤサービスを受けることになる。なお、前記のＶＯＤサービスには、例えば、番組配信サーバ１６からの番組情報（例えば、番組表）配信サービスや、ＶＯＤサーバ４からの映像配信サービスが含まれる。
【００１５】
ここで、前記ＶＯＤサービスの手順を図１１に基づいて以下に説明する。
【００１６】
まず、ＶＯＤ視聴者１８は、ＳＴＢ２の電源を入れ、該ＳＴＢ２を起動する（Ｍ５０１）。
【００１７】
次に、前記ＳＴＢ２が起動すると同時に（あるいは、前記ＶＯＤ視聴者１８が該ＳＴＢ２を操作して）、番組配信サーバ１６に対して、番組情報要求を送信する（Ｍ５０２）。
【００１８】
次に、前記番組配信サーバ１６は、番組情報を作成し、前記ＳＴＢ２に対して、該番組情報を送信する（Ｍ５０３）。
【００１９】
なお、前記の番組情報要求及び番組情報に係る通信では、例えば、ＨＴＴＰを使用することが好ましい。さらに、図１０中では、どのＳＴＢ２からでも同じＶＯＤサーバに接続されることとする。
【００２０】
次に、前記ＳＴＢ２は、前記ＶＯＤ視聴者１８に対して、前記番組情報を表示する（Ｍ５０４）。
【００２１】
次に、前記ＶＯＤ視聴者１８は、前記ＳＴＢ２を操作して、前記番組情報から所望の番組を選択する（Ｍ５０５）。
【００２２】
次に、前記ＳＴＢ２は、前記ＶＯＤサーバ４に対して、接続要求を送信する（Ｍ５０６）。
【００２３】
次に、前記ＶＯＤサーバ４は、前記ＳＴＢ２に対して、接続完了を送信する（Ｍ５０７）。
【００２４】
次に、前記ＳＴＢ２は、コンテンツ要求（前記の選択されたコンテンツに係る要求）を、ＶＯＤサーバ４に対して送信する（Ｍ５０８）。なお、前記コンテンツ要求に係る通信には、ＲＴＳＰが使用されることが好ましい。
【００２５】
次に、前記のＶＯＤ４サーバとＳＴＢ２間で、能力ネゴシエーションを行う（Ｍ５０９）。
【００２６】
次に、前記ＶＯＤ４サーバは、前記ＳＴＢ２に対して、映像ストリーミングを送信する（Ｍ５１０）。なお、前記映像ストリーミングに係る通信には、ＵＤＰ（Ｕｓｅｒ  Ｄａｔａｇｒａｍ  Ｐｒｏｔｏｃｏｌ）もしくはＲＴＰが使用されることが好ましい。
【００２７】
そして、前記ＳＴＢ２は、前記ＶＯＤ視聴者１８に対して、番組を表示する（Ｍ５１１）。
【００２８】
三つ目の要素技術であるサーバ仮想化（例えば、非特許文献２参照）は、近年、ハードウェアレベルでのサポートが相次いで発表されている。最新ＣＰＵ（Ｃｅｎｔｒａｌ  Ｐｒｏｃｅｓｓｉｎｇ  Ｕｎｉｔ）のラインナップには、マルチコアＣＰＵがリリースされており、今後の主力製品となる予定にある。
【００２９】
前記マルチコアＣＰＵを活かす技術の一つが、サーバ仮想化技術である。例えば、同一ハードウェア上で、ＯＳ（Ｏｐｅｒａｔｉｎｇ  Ｓｙｓｔｅｍ）と同じレイヤで仮想化する技術がある。実際には、サーバ製品も、リリースされている。
【００３０】
また、前記サーバ仮想化技術を利用することにより、ＯＳレイヤにおけるＣＰＵリソース等の動的配分を可能とする。しかし、この他にも、ＯＳレイヤで独立動作させたい複数アプリケーションを同一のハードウェア上で処理することが可能であるため、論理的には全く別のサーバ群を、特定の物理空間に高密度配置することが可能となる。例えば、データセンタにおけるサーバ設置に際して、ブレードサーバ導入の代替として、前記サーバ仮想化技術を採用することによって、空間的及び経済的なメリットを得ることができる。
【非特許文献１】ＳＴＯＲＡＧＥ  ＮＥＴＷＯＲＫＩＮＧ  ＩＮＤＵＳＴＲＹ  ＡＳＳＯＣＩＡＴＩＯＮ、“ＮＡＳ  ａｎｄ  ｉＳＣＳＩ  Ｔｅｃｈｎｏｌｏｇｙ  Ｏｖｅｒｖｉｅｗ”、［ｏｎｌｉｎｅ］、平成１７年４月１２日、ＳＴＯＲＡＧＥ  ＮＥＴＷＯＲＫＩＮＧ  ＩＮＤＵＳＴＲＹ  ＡＳＳＯＣＩＡＴＩＯＮ、［平成１７年８月１５日検索］、インターネット＜ＵＲＬ：ｈｔｔｐ：／／ｗｗｗ．ｓｎｗｕｓａ．ｃｏｍ／ｉｍａｇｅｓ／ＮＡＳａｎｄＩＳＣＳＩＴｅｃｈｎｏｌｏｇｙＯｖｅｒｖｉｅｗ．ｐｄｆ＞。
【非特許文献２】松本  健，「サーバ仮想化技術導入に当たっての評価ポイント」，ＮＲＩ技術創発，野村総合研究所，平成１７年１月６日，２００５年第５号，ｐ．３５−４９。
【発明の開示】
【発明が解決しようとする課題】
【００３１】
上述のような映像通信機器としてのコンシューマ向けＶＯＤ受信機（例えば、ＳＴＢ）は、実装プロトコル等の汎用性が高く、他用途との併用が容易である。しかし、前記のコンシューマ向けＶＯＤ受信機は、放送品質コンテンツをプレミアム系コンテンツ（例えば、映画）に依存し、現状では実質的な専用機化してしまい、レンタルビデオサービスの代替え手段に留まってしまっている。そのため、前記のコンシューマ向けＶＯＤ受信機は、効率的な転用又は併用が進んではいない。
【００３２】
また、インターネット上でブログ（ＢＬＯＧ）と呼称される公開型個人日記サービスやＳＮＳ（Ｓｏｃｉａｌ  Ｎｅｔｗｏｒｋｉｎｇ  Ｓｉｔｅ）などのコミュニティ形成を目的とするＷＥＢサーバベースのサービスに人気が集まっている。該サービスでは、ブロードバンド回線の普及に伴い、文章だけにとどまらず、デジタルカメラなどで撮影した静止画，デジタルビデオで個人撮影した映像に対してキャプチャリング又は圧縮処理を施した簡易映像を作成し、前記サーバ上に掲載するアドバンスユーザが珍しくない。
【００３３】
しかし、動画像はテキストや静止画と比較して、その容量が圧倒的に大きい。そのため、一般的なブログサービスが、個人ユーザに対して、経済的な料金に応じて割り当てる容量は、掲載本数，再生時間，解像度（例えば、画面サイズ）などに大きな制約を受けている。さらに、インターネットホームページ上の多くの動画像の品質は、放送品質に満たないものである。特に、前記ブログに掲載される個人撮影コンテンツは、放送品質に達しているものは少ない。
【００３４】
一方、ＷＥＢサーバベース以外のサービスにおいて、例えば、雑誌などの紙ベースを主体とした情報誌上で、静止画等の情報に付加する形態でＵＲＬ（Ｕｎｉｆｏｒｍ  Ｒｅｓｏｕｒｃｅ  Ｌｏｃａｔｏｒ），２次元バーコードを用い、携帯電話を介して該誌上に掲載しきれない情報を提供しよう（もしくは、その情報に誘導しよう）とするサービスが、存在する。しかし、携帯電話自体はブロードバンド回線に接続されておらず、簡単な操作で放送品質の動画像（例えば、プライベート動画像）を元の情報（前記の誌上に掲載した情報）と連携して提供するサービスは存在していない。
【００３５】
さらに、個人環境に着目すると、デジタルカメラ等の普及によって、個人レベルで放送品質に相当する動画を撮影することは既に容易になっている。また、記録メディアとしてＤＶＤ（Ｄｉｇｉｔａｌ  Ｖｅｒｓａｔｉｌｅ  Ｄｉｓｋ）やハードディスクを搭載する機種も登場している。これは、デジタルビデオカメラ向けの動画圧縮規格も制定済みであることが一因でもある。そして、個人で所有し、経済性の高い大容量ストレージ装置を別途用意すれば、近い将来、該ストレージ装置に対して前記撮影映像を蓄積することは、容易になる可能性が高い。
【００３６】
本発明は、前記課題に基づいてなされたものであり、ネットワーク上のサービスまたは端末とＶＯＤサーバまたはＶＯＤシステムが連携し、ＶＯＤ受信機を介して、動画情報を随時に視聴できるＶＯＤ制御方法，映像コンテンツ視聴準備方法，映像コンテンツ公開方法，ＶＯＤサーバ，ＶＯＤシステム，映像コンテンツ視聴システム，映像コンテンツ公開システムを提供することにある。
【課題を解決するための手段】
【００３７】
本発明は、前記課題の解決を図るために、請求項１記載の発明は、ＶＯＤ受信機が、ＩＰ網／回線を介して、ＶＯＤサーバに接続するＶＯＤ制御方法であって、プライベートチャネルリゾルバが、前記ＶＯＤ受信機によって送信されたコンテンツＩＤを受信し、該コンテンツＩＤに基づいてＶＯＤサーバ接続情報を解決するＶＯＤサーバ接続情報解決ステップと、該プライベートチャネルリゾルバが、前記のコンテンツＩＤを送信したＶＯＤ受信機のＩＰ回線割り当てアドレスと当該ＶＯＤ受信機について予め設定されたＩＰ回線割り当てアドレスのネットワークプリフィックスとを比較して、ＶＯＤ受信機からのアクセスに対するユーザ認証を行うステップと、該プライベートチャネルリゾルバが、該ＶＯＤ受信機に対して、該ＶＯＤサーバ接続情報を送信するステップと、該ＶＯＤ受信機が該ＶＯＤサーバ接続情報を受信し、該ＶＯＤサーバ接続情報に対応するＶＯＤサーバに接続するステップと、を有し、前記ＶＯＤサーバが、前記コンテンツＩＤを含むｉＳＣＳＩ接続情報要求をＣＩＤマネージャに対して送信し、該ＣＩＤマネージャが、該ｉＳＣＳＩ接続情報要求を受信し、該コンテンツＩＤに対応するｉＳＣＳＩ接続情報を解決し、該ＩＳＣＳＩ接続情報を該ＶＯＤサーバに送信し、該ＶＯＤサーバが、該ＩＳＣＳＩ接続情報に基づいて、ｉＳＣＳＩストレージ装置に接続すること、を特徴とする。
【００４０】
請求項２記載の発明は、ＩＰ網／回線を介してＶＯＤ受信機をＶＯＤサーバに接続するためのプライベートチャネルリゾルバが、前記ＶＯＤ受信機によって送信されたコンテンツＩＤを受信し、該コンテンツＩＤに基づいてＶＯＤサーバ接続情報を解決するＶＯＤサーバ接続情報解決ステップと、該プライベートチャネルリゾルバが、前記のコンテンツＩＤを送信したＶＯＤ受信機のＩＰ回線割り当てアドレスと当該ＶＯＤ受信機について予め設定されたＩＰ回線割り当てアドレスのネットワークプリフィックスとを比較して、ＶＯＤ受信機からのアクセスに対するユーザ認証を行うステップと、該プライベートチャネルリゾルバが、該ＶＯＤ受信機に対して、該ＶＯＤサーバ接続情報を送信するステップと、該ＶＯＤ受信機が該ＶＯＤサーバ接続情報を受信し、該ＶＯＤサーバ接続情報に対応するＶＯＤサーバに接続するステップと、により前記ＶＯＤ受信機をＶＯＤサーバに接続し、第１ＩＰ及び第２ＩＰ対応デュアルスタック端末から第１ＩＰ網及び第２ＩＰ網／回線を介して映像コンテンツ視聴を準備する映像コンテンツ視聴準備方法であって、前記第１ＩＰ及び第２ＩＰ対応デュアルスタック端末が、ＷＥＢサーバに対して、一意のコンテンツＩＤを含む映像コンテンツ視聴要求を、第１ＩＰ網を介して送信するステップと、該ＷＥＢサーバが、該映像コンテンツ視聴要求を受信し、該映像コンテンツ視聴要求に対応し該コンテンツＩＤを含む電子チケット発券要求をチケットサーバに対して送信するステップと、該チケットサーバが、該電子チケット発券要求を受信し、該電子チケット発券要求に対応し該コンテンツＩＤを含むコンテンツ視聴準備要求をＶＯＤシステムに対して送信するステップと、該ＶＯＤシステムが、該コンテンツ視聴準備要求を受信し、該ＶＯＤシステムのＶＯＤサーバ名を含む視聴準備完了をチケットサーバに対して送信するステップと、該チケットサーバが、該視聴準備完了を受信し、認証サーバに対して、ワンタイムＩＤ及びワンタイムＰＷ発行要求を送信するステップと、該認証サーバが、該ワンタイムＩＤ及びワンタイムＰＷ発行要求を受信し、ワンタイムＩＤ及びワンタイムＰＷを生成し、該ワンタイムＩＤ及びワンタイムＰＷを該チケットサーバに対して送信するステップと、該チケットサーバが、該ワンタイムＩＤ及びワンタイムＰＷを受信し、該ワンタイムＩＤ及びワンタイムＰＷを含む第１電子チケットを発券し、該第１電子チケットを該ＷＥＢサーバに対して送信するステップと、該ＷＥＢサーバが、該第１電子チケットを受信し、該第１ＩＰ及び第２ＩＰ対応デュアルスタック端末に対して、第１電子チケットを送信するステップと、該第１ＩＰ及び第２ＩＰ対応デュアルスタック端末が、該第１電子チケットを受信し、該第１電子チケットに対し該ＶＯＤ受信機が使用する回線に付与された第２ＩＰ回線割り当てアドレスを含めて第２電子チケットを作成し、該第２電子チケットを該ＶＯＤシステムに対して第２ＩＰ網／回線を介して、送信するステップと、該ＶＯＤシステムが、該第２電子チケットを受信し、該認証サーバに対して、該ワンタイムＩＤ及びワンタイムＰＷを含む認証要求を送信するステップと、該認証サーバが、該ワンタイムＩＤ及びワンタイムＰＷを受信し、該ワンタイムＩＤ及びワンタイムＰＷに基づく認証を行い、認証完了をＶＯＤシステムに対して送信するステップと、該ＶＯＤシステムが、該認証完了を受信し、該第１ＩＰ及び第２ＩＰ対応デュアルスタック端末に対して、映像コンテンツ視聴準備完了通知を送信するステップと、を有する、ことを特徴とする。
【００４１】
請求項３記載の発明は、ＩＰ網／回線を介してＶＯＤ受信機をＶＯＤサーバに接続するためのプライベートチャネルリゾルバが、前記ＶＯＤ受信機によって送信されたコンテンツＩＤを受信し、該コンテンツＩＤに基づいてＶＯＤサーバ接続情報を解決するＶＯＤサーバ接続情報解決ステップと、該プライベートチャネルリゾルバが、前記のコンテンツＩＤを送信したＶＯＤ受信機のＩＰ回線割り当てアドレスと当該ＶＯＤ受信機について予め設定されたＩＰ回線割り当てアドレスのネットワークプリフィックスとを比較して、ＶＯＤ受信機からのアクセスに対するユーザ認証を行うステップと、該プライベートチャネルリゾルバが、該ＶＯＤ受信機に対して、該ＶＯＤサーバ接続情報を送信するステップと、該ＶＯＤ受信機が該ＶＯＤサーバ接続情報を受信し、該ＶＯＤサーバ接続情報に対応するＶＯＤサーバに接続するステップと、により前記ＶＯＤ受信機をＶＯＤサーバに接続し、携帯電話から映像コンテンツ視聴を携帯電話網及びＩＰ網／回線を介して準備する映像コンテンツ視聴準備方法であって、前記の携帯電話が、所望の映像コンテンツのコンテンツＩＤ，プライベートチャネルエージェントに対するアクセス情報を入手するステップと、該携帯電話が、該入手したアクセス情報に基づいて、プライベートチャネルエージェントに対してアクセスし、該コンテンツＩＤ，該携帯電話の電話番号を含む映像コンテンツ視聴要求を送信するステップと、該プライベートチャネルエージェントが、該映像コンテンツ視聴要求を受信し、ＶＯＤシステムに対し、コンテンツ視聴準備要求をＩＰ網／回線を介して送信するステップと、該ＶＯＤシステムが、該コンテンツ視聴準備要求を受信し、該ＶＯＤシステムのＶＯＤサーバ名を含むコンテンツ視聴準備完了を該プライベートチャネルエージェントに対して送信するステップと、該プライベートチャネルエージェントが、該コンテンツ視聴準備完了を受信し、ＦＭ−ＤＢに対して、該携帯電話の電話番号を含む問い合わせを送信するステップと、該ＦＭ−ＤＢが、該問い合わせを受信し、該電話番号に対応する回線割り当てアドレスを取得し、該プライベートチャネルエージェントに対して、該回線割り当てアドレスを送信するステップと、該プライベートチャネルエージェントが、該回線割り当てアドレスを受信し、プライベートチャネル設定情報を作成し、該プライベートチャネル設定情報を前記ＶＯＤシステム対して送信するステップと、該ＶＯＤシステムが、該プライベートチャネル設定情報を受信し、該プライベートチャネル設定情報をプライベートチャネルと見做して設定し、該プライベートチャネルエージェントに対して該プライベートチャネル設定完了を送信するステップと、該プライベートチャネルエージェントが、該プライベートチャネル設定完了を受信し、該携帯電話に対して、映像コンテンツ視聴準備完了通知を送信するステップと、を有する、ことを特徴とする。
【００４２】
請求項４記載の発明は、ＩＰ網／回線を介してＶＯＤ受信機をＶＯＤサーバに接続するためのプライベートチャネルリゾルバが、前記ＶＯＤ受信機によって送信されたコンテンツＩＤを受信し、該コンテンツＩＤに基づいてＶＯＤサーバ接続情報を解決するＶＯＤサーバ接続情報解決ステップと、該プライベートチャネルリゾルバが、前記のコンテンツＩＤを送信したＶＯＤ受信機のＩＰ回線割り当てアドレスと当該ＶＯＤ受信機について予め設定されたＩＰ回線割り当てアドレスのネットワークプリフィックスとを比較して、ＶＯＤ受信機からのアクセスに対するユーザ認証を行うステップと、該プライベートチャネルリゾルバが、該ＶＯＤ受信機に対して、該ＶＯＤサーバ接続情報を送信するステップと、該ＶＯＤ受信機が該ＶＯＤサーバ接続情報を受信し、該ＶＯＤサーバ接続情報に対応するＶＯＤサーバに接続するステップと、により前記ＶＯＤ受信機をＶＯＤサーバに接続し、ストレージ装置に蓄積された映像コンテンツファイルに対応するコンテンツＩＤをＷＥＢページに登録して、該映像コンテンツファイルを公開するコンテンツ公開方法であって、第１ＩＰ及び第２ＩＰ対応デュアルスタック端末が、前記映像コンテンツファイルのファイル名，該ｉＳＣＳＩ  ｇａｔｅｗａｙ装置のｉＳＣＳＩ接続パラメータ及び第２ＩＰ回線割り当てアドレスを含むコンテンツＩＤ発行要求を、第２ＩＰ網／回線を介して、ＣＩＤマネージャに対して送信するステップと、該ＣＩＤマネージャが、該コンテンツＩＤ発行要求を受信し、該第２ＩＰ回線割り当てアドレスと該映像コンテンツファイルのファイル名の組み合わせに基づいて、一意になるコンテンツＩＤを発行し、該ＣＩＤマネージャが、前記コンテンツＩＤ，前記のｉＳＣＳＩ接続パラメータ，前記の第２ＩＰ回線割り当てアドレスの組み合わせを該ＣＩＤマネージャ自体に登録し、該コンテンツＩＤを前記第１ＩＰ及び第２ＩＰ対応デュアルスタック端末に対して送信するステップと、該第１ＩＰ及び第２ＩＰ対応デュアルスタック端末が、該コンテンツＩＤを受信し、該コンテンツＩＤを該ＷＥＢサーバのＷＥＢページに、第１ＩＰ網を介して登録するステップと、該ＷＥＢサーバが、該登録を受けて、コンテンツＩＤ登録完了を該第１ＩＰ及び第２ＩＰ対応デュアルスタック端末に対して送信するステップと、該ＷＥＢページに登録されたコンテンツＩＤが、閲覧端末から選択され、該ＶＯＤサーバが、該選択されたコンテンツＩＤに対応するストレージ装置に対する接続要求を受信するステップと、該ＶＯＤサーバが、該ＣＩＤマネージャに対して、該コンテンツＩＤ及び第２ＩＰ回線割り当てアドレスに対応したｉＳＣＳＩ  ｇａｔｅｗａｙ装置に係るｉＳＣＳＩ接続情報要求を送信するステップと、該ＣＩＤマネージャが、該ｉＳＣＳＩ接続情報要求を受信し、該第２ＩＰ回線割り当てアドレスを含むｉＳＣＳＩ接続情報を、該ＶＯＤサーバに対して送信するステップと、該ＶＯＤサーバが、該ｉＳＣＳＩ接続情報を受信し、該ｉＳＣＳＩ接続情報に基づいて、該ｉＳＣＳＩ  ｇａｔｅｗａｙ装置に対し、ｉＳＣＳＩ接続要求を送信するステップを有すること、を特徴とする。
【００４３】
請求項５記載の発明は、ＩＰ網／回線を介してＶＯＤ受信機をＶＯＤサーバに接続するためのプライベートチャネルリゾルバが、前記ＶＯＤ受信機によって送信されたコンテンツＩＤを受信し、該コンテンツＩＤに基づいてＶＯＤサーバ接続情報を解決するＶＯＤサーバ接続情報解決ステップと、該プライベートチャネルリゾルバが、前記のコンテンツＩＤを送信したＶＯＤ受信機のＩＰ回線割り当てアドレスと当該ＶＯＤ受信機について予め設定されたＩＰ回線割り当てアドレスのネットワークプリフィックスとを比較して、ＶＯＤ受信機からのアクセスに対するユーザ認証を行うステップと、該プライベートチャネルリゾルバが、該ＶＯＤ受信機に対して、該ＶＯＤサーバ接続情報を送信するステップと、該ＶＯＤ受信機が該ＶＯＤサーバ接続情報を受信し、該ＶＯＤサーバ接続情報に対応するＶＯＤサーバに接続するステップと、により前記ＶＯＤ受信機が接続されるＶＯＤサーバであって、映像コンテンツファイルを蓄積したｉＳＣＳＩストレージ装置に接続されたＶＯＤサーバであって、前記ＶＯＤサーバは、受信した再生要求に応じて、前記ｉＳＣＳＩストレージ装置に対してｉＳＣＳＩ接続を行い、該ｉＳＣＳＩストレージ装置から前記映像コンテンツファイルを読み出し、該映像コンテンツファイルを所定のＶＯＤ受信機に配信すること、を特徴とする。
【００４４】
請求項６記載の発明は、請求項５記載の発明において、ＶＯＤサーバに仮想専用サーバが含まれることを特徴とする。
【００４５】
請求項７記載の発明は、ＶＯＤ受信機からＩＰ網／回線を介してＶＯＤサーバに対して接続するＶＯＤシステムであって、前記ＶＯＤ受信機が、コンテンツＩＤをプライベートチャネルリゾルバに対して送信する手段と、該プライベートチャネルリゾルバが、該コンテンツＩＤを受信し、該コンテンツＩＤに対応した前記ＶＯＤサーバの名前を解決するＶＯＤサーバ名解決手段と、該プライベートチャネルリゾルバが、前記のコンテンツＩＤを送信したＶＯＤ受信機のＩＰ回線割り当てアドレスと当該ＶＯＤ受信機について予め設定されたＩＰ回線割り当てアドレスのネットワークプリフィックスとを比較して、ＶＯＤ受信機からのアクセスに対するユーザ認証を行う手段と、該プライベートチャネルリゾルバが、該ＶＯＤ受信機に対して該ＶＯＤサーバの名前を送信する手段と、該ＶＯＤ受信機が該ＶＯＤサーバの名前に対応するＶＯＤサーバに対して接続する手段と、前記ＶＯＤサーバが、ＣＩＤマネージャに対して、前記コンテンツＩＤを含むｉＳＣＳＩ接続情報要求を送信する手段と、該ＣＩＤマネージャが、該ｉＳＣＳＩ接続情報要求を受信し、該コンテンツＩＤに対応するｉＳＣＳＩ接続情報を解決し、該ＩＳＣＳＩ接続情報を該ＶＯＤサーバに対して送信する手段と、該ＶＯＤサーバが、該ｉＳＣＳＩ接続情報に基づいて、ｉＳＣＳＩストレージ装置に接続する手段と、を有することを特徴とする。
【００４８】
請求項８記載の発明は、ＩＰ網／回線を介してＶＯＤサーバに対して接続されるＶＯＤ受信機が、コンテンツＩＤをプライベートチャネルリゾルバに対して送信する手段と、該プライベートチャネルリゾルバが、該コンテンツＩＤを受信し、該コンテンツＩＤに対応した前記ＶＯＤサーバの名前を解決するＶＯＤサーバ名解決手段と、プライベートチャネルリゾルバが、前記のコンテンツＩＤを送信したＶＯＤ受信機のＩＰ回線割り当てアドレスと当該ＶＯＤ受信機について予め設定されたＩＰ回線割り当てアドレスのネットワークプリフィックスとを比較して、ＶＯＤ受信機からのアクセスに対するユーザ認証を行う手段と、該プライベートチャネルリゾルバが、該ＶＯＤ受信機に対して該ＶＯＤサーバの名前を送信する手段と、該ＶＯＤ受信機が該ＶＯＤサーバの名前に対応するＶＯＤサーバに対して接続する手段と、を有するＶＯＤシステムから、ＶＯＤ受信機が映像コンテンツの配信を受ける映像コンテンツ視聴システムであって、チケットサーバが、電子チケット発券要求を受信し、該電子チケット発券要求に対応しコンテンツＩＤを含むコンテンツの視聴準備を前記ＶＯＤシステムに対して送信する手段と、ワンタイムＩＤ及びワンタイムＰＷを受信し、該ワンタイムＩＤ及びワンタイムＰＷを含む第１電子チケットを発券し、該第１電子チケットをＷＥＢサーバに対して送信する手段と、視聴準備完了を受信し、認証サーバに対して、ワンタイムＩＤ及びワンタイムＰＷ発行要求を送信する手段と、を有し、該ＷＥＢサーバが、映像コンテンツ視聴要求を受信し、該映像コンテンツ視聴要求に対応し該コンテンツＩＤを含む電子チケット発券要求をチケットサーバに対して送信する手段と、該第１電子チケットを受信し、第１ＩＰ及び第２ＩＰ対応デュアルスタック端末に対して、第１電子チケットを送信する手段と、を有し、該第１ＩＰ及び第２ＩＰ対応デュアルスタック端末が、該ＷＥＢサーバに対し第１ＩＰ網を介して、一意のコンテンツＩＤを含む該映像コンテンツ視聴要求を送信する手段と、該第１電子チケットを受信し、該第１電子チケットに対し前記ＶＯＤ受信機が使用する回線に付与された第２ＩＰ回線割り当てアドレスを含めて第２電子チケットを作成し、該第２電子チケットを該ＶＯＤシステムに対して第２ＩＰ網／回線を介して、送信する手段と、を有し、該認証サーバが、該ワンタイムＩＤ及びワンタイムＰＷ発行要求を受信し、ワンタイムＩＤ及びワンタイムＰＷを生成し、該ワンタイムＩＤ及びワンタイムＰＷを該チケットサーバに対して送信する手段と、該ワンタイムＩＤ及びワンタイムＰＷを受信し、該ワンタイムＩＤ及びワンタイムＰＷに基づく認証を行い、認証完了をＶＯＤシステムに対して送信する手段と、を有し、該ＶＯＤシステムが、該コンテンツ視聴準備要求を受信し、該ＶＯＤシステムの該ＶＯＤサーバ名を含む視聴準備完了をチケットサーバに対して送信する手段と、該第２電子チケットを受信し、該認証サーバに対して、該ワンタイムＩＤ及びワンタイムＰＷを含む認証要求を送信する手段と、該認証完了を受信し、該第１ＩＰ及び第２ＩＰ対応デュアルスタック端末に対して、映像コンテンツ視聴準備完了通知を送信する手段と、を有する、ことを特徴とする。
【００４９】
請求項９記載の発明は、ＩＰ網／回線を介してＶＯＤサーバに対して接続されるＶＯＤ受信機が、コンテンツＩＤをプライベートチャネルリゾルバに対して送信する手段と、該プライベートチャネルリゾルバが、該コンテンツＩＤを受信し、該コンテンツＩＤに対応した前記ＶＯＤサーバの名前を解決するＶＯＤサーバ名解決手段と、プライベートチャネルリゾルバが、前記のコンテンツＩＤを送信したＶＯＤ受信機のＩＰ回線割り当てアドレスと当該ＶＯＤ受信機について予め設定されたＩＰ回線割り当てアドレスのネットワークプリフィックスとを比較して、ＶＯＤ受信機からのアクセスに対するユーザ認証を行う手段と、該プライベートチャネルリゾルバが、該ＶＯＤ受信機に対して該ＶＯＤサーバの名前を送信する手段と、該ＶＯＤ受信機が該ＶＯＤサーバの名前に対応するＶＯＤサーバに対して接続する手段と、を有するＶＯＤシステムから、ＶＯＤ受信機が映像コンテンツの配信を受ける映像コンテンツ視聴システムであって、携帯電話が、所望の映像コンテンツのコンテンツＩＤ，プライベートチャネルエージェントに対するアクセス情報を入手する手段と、該入手したアクセス情報に基づいて、プライベートチャネルエージェントに対してアクセスし、該コンテンツＩＤ，該携帯電話の電話番号を含む映像コンテンツ視聴要求を送信する手段と、を有し、該プライベートチャネルエージェントが、該映像コンテンツ視聴要求を受信し、前記ＶＯＤシステムに対し、コンテンツ視聴準備要求をＩＰ網／回線を介して送信する手段と、コンテンツ視聴準備完了を受信し、ＦＭ−ＤＢに対して、該携帯電話の電話番号を含む問い合わせを送信する手段と、回線割り当てアドレスを受信し、プライベートチャネル設定情報を作成し、該プライベートチャネル設定情報をＶＯＤシステムに対して送信する手段と、プライベートチャネル設定完了を受信し、該携帯電話に対して、映像コンテンツ視聴準備完了を送信する手段と、を有し、該ＶＯＤシステムが、該コンテンツ視聴準備要求を受信し、該ＶＯＤシステムのＶＯＤサーバ名を含むコンテンツ視聴準備完了を該プライベートチャネルエージェントに対して送信する手段と、該プライベートチャネル設定情報を受信し、該プライベートチャネル設定情報をプライベートチャネルと見做して設定し、該プライベートチャネルエージェントに対して該プライベートチャネル設定完了を送信する手段と、を有し、該ＦＭ−ＤＢが、該問い合わせを受信し、該電話番号に対応する回線割り当てアドレスを取得し、該プライベートチャネルエージェントに対して、該回線割り当てアドレスを送信する手段と、を有する、ことを特徴とする。
【００５０】
請求項１０記載の発明は、ストレージ装置に蓄積されたコンテンツファイルに対応するコンテンツＩＤをＷＥＢページに登録して、該コンテンツファイルを公開し、ＩＰ網／回線を介してＶＯＤサーバに対して接続されるＶＯＤ受信機が、コンテンツＩＤをプライベートチャネルリゾルバに対して送信する手段と、該プライベートチャネルリゾルバが、該コンテンツＩＤを受信し、該コンテンツＩＤに対応した前記ＶＯＤサーバの名前を解決するＶＯＤサーバ名解決手段と、プライベートチャネルリゾルバが、前記のコンテンツＩＤを送信したＶＯＤ受信機のＩＰ回線割り当てアドレスと当該ＶＯＤ受信機について予め設定されたＩＰ回線割り当てアドレスのネットワークプリフィックスとを比較して、ＶＯＤ受信機からのアクセスに対するユーザ認証を行う手段と、該プライベートチャネルリゾルバが、該ＶＯＤ受信機に対して該ＶＯＤサーバの名前を送信する手段と、該ＶＯＤ受信機が該ＶＯＤサーバの名前に対応するＶＯＤサーバに対して接続する手段と、を有するＶＯＤシステムから、ＶＯＤ受信機が映像コンテンツの配信を受ける映像コンテンツ公開システムであって、第１ＩＰ及び第２ＩＰ対応デュアルスタック端末が、前記ストレージ装置に接続する手段と、前記コンテンツファイルのファイル名，ｉＳＣＳＩ  ｇａｔｅｗａｙ装置のｉＳＣＳＩ接続パラメータ及び第２ＩＰ回線割り当てアドレスを含むコンテンツＩＤ発行要求を、第２ＩＰ網／回線を介して、ＣＩＤマネージャに対して送信する手段と、前記コンテンツＩＤを受信し、該コンテンツＩＤをＷＥＢサーバの前記ＷＥＢページに、第１ＩＰ網を介して、登録する手段と、接続された該ストレージ装置を切り離す手段と、を有し、該ＣＩＤマネージャが、該コンテンツＩＤ発行要求を受信し、該第２ＩＰ回線割り当てアドレスと該コンテンツファイルのファイル名の組み合わせに基づいて、一意になるコンテンツＩＤを発行し、該コンテンツＩＤ，該ｉＳＣＳＩ接続パラメータ，前記の第２ＩＰ回線割り当てアドレスの組み合わせを該ＣＩＤマネージャ自体に登録し、該コンテンツＩＤを該第１ＩＰ及び第２ＩＰ対応デュアルスタック端末に対して送信する手段と、該ｉＳＣＳＩ接続情報要求を受信し、第２ＩＰ回線割り当てアドレスを含むｉＳＣＳＩ接続情報を、該ＶＯＤサーバに対して送信する手段と、を有し、該ＷＥＢサーバが、該コンテンツＩＤ登録を受けて、コンテンツＩＤ登録完了を該第１ＩＰ及び第２ＩＰ対応デュアルスタック端末に対して送信する手段と、第１ＩＰ網上の閲覧端末を介して該ＷＥＢサーバ上のＷＥＢページに対してアクセスされる手段と、を有し、該ｉＳＣＳＩ  ｇａｔｅｗａｙ装置が、該ストレージ装置と接続する手段、を有し、該ＶＯＤサーバが、該コンテンツＩＤに対応するストレージ装置に係る接続要求を受信する手段と、該ＣＩＤマネージャに対して、該コンテンツＩＤ及び第２ＩＰ回線割り当てアドレスに対応したｉＳＣＳＩ  ｇａｔｅｗａｙ装置に係るｉＳＣＳＩ接続情報要求を送信する手段と、該ｉＳＣＳＩ接続情報を受信し、該ｉＳＣＳＩ接続情報に基づいて、該ｉＳＣＳＩ  ｇａｔｅｗａｙ装置に対し、ｉＳＣＳＩ接続要求を送信する手段と、を有する、ことを特徴とする。
【００５１】
前記の請求項１記載の発明によれば、コンテンツＩＤに基づいて、ＶＯＤサーバ接続情報を取得できる。また、ＶＯＤ受信機が接続している第２ＩＰ回線割り当てアドレス（例えば、ＩＰｖ６ネットワークプレフィックス）を検証できる。さらに、コンテンツＩＤに対応するｉＳＣＳＩ接続情報を解決できる。
【００５４】
前記の請求項２記載の発明によれば、第１ＩＰ及び第２ＩＰ対応デュアルスタック端末（例えば、ＩＰｖ４／ＩＰｖ６デュアルスタック端末）によって、ＶＯＤシステムを使用するための認証及び準備を行うことができる
前記の請求項３記載の発明によれば、携帯電話によって、ＶＯＤシステムを使用するための準備を行うことができる。
【００５５】
前記の請求項４記載の発明によれば、コンテンツＩＤを取得し、ＷＥＢページに登録できる。
【００５６】
前記の請求項５記載の発明によれば、再生要求に応じて、ｉＳＣＳＩ接続を行い、ｉＳＣＳＩストレージ装置から映像コンテンツファイルを読み出すことができる。
【００５７】
前記の請求項６記載の発明によれば、ＶＯＤサーバを仮想専用サーバと見做すことができる。
【００５８】
前記の請求項７記載の発明によれば、コンテンツＩＤに基づいて、ＶＯＤサーバの名前を取得できる。また、ＶＯＤ受信機が接続している回線の回線割り当てアドレスを検証できる。さらに、コンテンツＩＤに対応するｉＳＣＳＩ接続情報を解決できる。
【００６１】
前記の請求項８記載の発明によれば、第１ＩＰ及び第２ＩＰ対応デュアルスタック端末によって、ＶＯＤシステムを使用するための認証及び準備を行うことができる
前記の請求項９記載の発明によれば、携帯電話によって、ＶＯＤシステムを使用するための準備を行うことができる。
【００６２】
前記の請求項１０記載の発明によれば、コンテンツＩＤを取得し、ＷＥＢページに登録できる。
【発明の効果】
【００６３】
以上示したように請求項１，７記載の発明によれば、コンテンツＩＤに基づいて、ＶＯＤサーバを振り分けることができる。また、ＶＯＤ受信機が接続している第２ＩＰ回線割り当てアドレス（例えば、ＩＰｖ６ネットワークプレフィックス）を検証した結果を取得できる。さらに、ＶＯＤサーバが、コンテンツＩＤに対応したｉＳＣＳＩストレージ装置に接続できる。
【００６６】
請求項２，３，８，９記載の発明によれば、ＶＯＤシステムを使用し、映像コンテンツを視聴できる。
【００６７】
請求項４，１０記載の発明によれば、ストレージ装置に蓄積されたコンテンツファイルをネットワーク上に公開することができる。
【００６８】
請求項５記載の発明によれば、再生要求に応じて、映像コンテンツファイルを配信できる。
【００６９】
請求項６記載の発明によれば、ＶＯＤサーバの管理を容易にできる。
【００７０】
これらを以って映像配信分野に貢献することができる。
【発明を実施するための最良の形態】
【００７１】
以下、本発明の実施の形態におけるＶＯＤ制御方法，映像コンテンツ視聴準備方法，映像コンテンツ公開方法，ＶＯＤサーバ，ＶＯＤシステム，映像コンテンツ視聴システム，映像コンテンツ公開システムを図面等に基づいて詳細に説明する。
【００７２】
本実施の第１乃至４形態は、ＶＯＤ受信機が接続するサーバの情報をオンデマンドで取得でき、ＶＯＤ受信機が接続されたＩＰ網／回線（例えば、ＩＰｖ６（Ｉｎｔｅｒｎｅｔ  Ｐｒｏｔｏｃｏｌ  Ｖｅｒｓｉｏｎ  ６）／ＦＴＴＨ回線）を検証するサーバ（以後、プライベートチャネルレゾルバと称する）によって、ＶＯＤ制御を行う。さらに、仮想化サーバを採用したＶＯＤサーバによって、映像コンテンツを配信する。
【００７３】
本実施の第１乃至４形態における基本構成及び動作を以下に説明する。
【００７４】
まず、ＶＯＤサービスユーザがＳＴＢによって所望のコンテンツを選択し、該ＳＴＢが接続するサーバの情報（即ち、接続パラメータ；例えば、サーバ名，コンテンツ名）をオンデマンドで（動的に）取得できるプライベートチャネルレゾルバをＦＴＴＨ回線で構成されたＩＰｖ６網上に設置する。
【００７５】
なお、前記ＩＰｖ６網はアドレス空間が膨大であることから、ＦＴＴＨ回線に固定アドレスを付与することが可能である。さらに、ＩＰｖ６ネットワークプリフィックス（即ちＩＰｖ６アドレスを示す１２８ビットデータの上位６４ビット）を検証することによって、ＳＴＢからのアクセスに対するユーザ認証を容易に行うことができる。即ち、前記のＩＰｖ６ネットワークプリフィックスは、ＩＰｖ６に基づく回線割り当てアドレスと見做すことができる。
【００７６】
また、ＶＯＤサービスユーザによるプライベートチャネル設定方法の一例は、インターネット上のＷＥＢサイトを閲覧するインターネット端末（例えば、パーソナルコンピュータなど）をＩＰｖ４（Ｉｎｔｅｒｎｅｔ  Ｐｒｏｔｏｃｏｌ  Ｖｅｒｓｉｏｎ  ４）／ＩＰｖ６デュアルスタック化することで実現する。
【００７７】
前記ＶＯＤサービスユーザが、デュアルスタック化されたインターネット端末によって、インターネットをブラウジングする場合には、ＩＰｖ４スタックを介してインターネットプロバイダに接続し、各種ＷＥＢページにアクセスすることになる。
【００７８】
次に、前記ＳＴＢを介して視聴を所望する映像を含むＷＥＢページを発見した場合に、該ページ上の所定の手続きを経て、電子チケットを受け取る。その受け取った電子チケットは、自動的にデュアルスタック化したインターネット端末を介して、前記プライベートチャネルレゾルバに渡される。
【００７９】
なお、該電子チケット内には、視聴を所望する動画コンテンツを搭載したストレージ装置の情報等が記載されており、該電子チケットがＶＯＤシステムのプライベートチャネルと見做されて設定される。
【００８０】
ＶＯＤサービスユーザによるプライベートチャネル設定方法の他例は、携帯電話の電話番号と、ＩＰｖ６網のネットワークプリフィックスを１対１にマッピングしたデータベース（以後、ＦＭ−ＤＢ（Ｆｉｘｅｄ  Ｍｏｂｉｌｅ−ＤａｔａＢａｓｅ）と称する）を構築し設置することによって実現する。
【００８１】
まず、前記データベースに電話番号を登録された携帯電話から所定のエージェントシステムにアクセスし、所望の動画コンテンツのＩＤ（Ｉｄｅｎｔｉｆｉｅｒ）に基づいてプライベートチャネルの設定を行う。なお、前記エージェントシステムに対するアクセスは、例えば、アクセス情報を２次元バーコードに表現したものを記載した紙メディア（例えば、雑誌）などを利用できる。
【００８２】
そして、前記ＶＯＤサービスユーザは、リモコン等を介して前記ＳＴＢ上でプライベートチャネルを選択すると、パーソナルコンピュータまたは携帯電話で選択した動画映像を放送品質で視聴できる。
【００８３】
なお、プライベートチャネルに基づいて視聴されるコンテンツファイルの総容量は、膨大になることが見込まれるため、予め想定される大容量コンテンツを集中管理することは非現実的である。そのため、各コンテンツファイルに対する管理は、該管理をコンテンツ提供者自身が行い、コンテンツを蓄積するストレージ装置をセンタサーバ側からオンデマンドでｉＳＣＳＩプロトコルによって接続し収容する方式とする。
【００８４】
また、プライベートチャネルによって同一コンテンツに対する同時アクセスを行う確率は小さいと予想されるが、ｉＳＣＳＩプロトコルが比較的高いＣＰＵ負荷を発生させるため、各プライベートチャネルを提供するサーバ単位のリソースを固定的に分散することは経済的に非効率である。
【００８５】
そこで、経済効率に配慮したセンタサーバ構成を実現するために、ｉＳＣＳＩ技術と仮想化サーバ技術を組み合わせた構成を採用することとする。前記の仮想サーバ技術の採用によって、特定のプライベートチャネルに対するアクセスが集中しても、他のプライベートチャネルに対するアクセスが少なければ、アクセスが集中するサーバにリソースを振り分けることができる。このように、ｉＳＣＳＩ技術と仮想化サーバ技術を組み合わせた構成は経済効率の高いＶＯＤサーバ群を構成することができる。
【００８６】
以上の構成に加えて、認証サーバ，データベースなどの組み合わせによって、本実施の第１乃至４形態を基本的な構成とする。
【００８７】
［本実施の第１形態］
本実施の第１形態を図１乃至図２に基づいて以下に説明する。本実施の第１形態は、図１中のＶＯＤ視聴者１８のＳＴＢ２を介した映像コンテンツ再生要求に応じて、ＶＯＤサーバ４あるいは仮想専用サーバ採用ＶＯＤサーバ４Ａが、ｉＳＣＳＩ  ｔａｒｇｅｔ機能を有するｉＳＣＳＩプライベートストレージ装置５にｉＳＣＳＩ接続し、該ＶＯＤ視聴者１８に対して前記映像コンテンツを表示するＶＯＤシステムである。
【００８８】
前記ＶＯＤ視聴者１８は、前記ＶＯＤサーバ４に対するアクセス情報を提供するサーバ（即ち、プライベートチャネルレゾルバ）３を利用して、ＶＯＤサーバ４にアクセスする。即ち、前記プライベートチャネルレゾルバ３のプライベートチャネル設定によって、前記ＳＴＢ２に対する接続先ＶＯＤサーバを区別できる。
【００８９】
さらに、前記ＶＯＤ視聴者１８は、図２中の番組配信サーバ１６から番組情報を取得できるものとする。
【００９０】
前記ＶＯＤサーバ４は、ｉＳＣＳＩ技術による負荷特性のために、１サーバでＦＴＴＨ回線／ｉＳＣＳＩ（ストレージ装置とも見做せる）１０３を１乃至数本しか収容できない。このため、マスユーザを収容する目的に合わせて、ＶＯＤサーバの集合体によって構成するものとする。
【００９１】
なお、前記サーバ集合体は、例えば、経済性とトラヒック特性を考慮し、仮想専用サーバ（例えば、ＶＰＳ（Ｖｉｒｔｕａｌ  Ｐｒｉｖａｔｅ  Ｓｅｒｖｅｒ））によって構成したサーバ（即ち、仮想専用サーバ採用ＶＯＤサーバ）４Ａである。
【００９２】
さらに、設備の経済化を考慮し、ＶＯＤサーバ数はプライベートストレージ数より少ないものとする。そのため、ｉＳＣＳＩプライベートストレージ装置５に対する接続は、コンテンツアクセスによるオンデマンドとし、視聴終了後にｉＳＣＳＩ接続は自動タイムアウトする。ただし、アクセス頻度が高いプライベートストレージに対しては、前記の自動タイムアウトを行わないように自動変更することもできることとする。
【００９３】
本実施の第１形態における手順を図２に基づいて以下に説明する。
【００９４】
まず、図２中のＶＯＤ視聴者１８は、ＳＴＢ２の電源を入れ、該ＳＴＢ２を起動する（Ｍ１０１）。
【００９５】
次に、前記ＳＴＢ２が起動すると、自動的に（あるいは、前記ＶＯＤ視聴者１８が該ＳＴＢ２を操作して）、番組配信サーバ１６に対して、番組情報要求を送信する（Ｍ１０２）。
【００９６】
次に、前記番組配信サーバ１６は、番組情報を作成し、前記ＳＴＢ２に対して、該番組情報を送信する（Ｍ１０３）。
【００９７】
なお、前記の番組情報要求及び番組情報に係る通信では、例えば、ＨＴＴＰを使用することが好ましい。
【００９８】
次に、前記ＳＴＢ２は、前記番組情報を受信し、前記ＶＯＤ視聴者１８に対して、該番組情報を表示する（Ｍ１０４）。
【００９９】
次に、前記ＶＯＤ視聴者１８は、前記ＳＴＢ２を使って、前記番組情報を介して、プライベートチャネルを選択する（Ｍ１０５）。
【０１００】
次に、前記ＳＴＢ２は、前記プライベートチャネル選択に係る問い合わせをプライベートチャネルレゾルバ３に対して送信する（Ｍ１０６）。なお、前記問い合せには、コンテンツＩＤが含まれる。
【０１０１】
次に、前記プライベートチャネルレゾルバ３は、前記のプライベートチャネル選択に係る問い合わせを受信し、該問い合せに対応する回答を作成し、該回答を前記ＳＴＢ２に対して送信する（Ｍ１０７）。
【０１０２】
なお、前記回答には、ＶＯＤサーバに接続するため情報（即ち、ＶＯＤサーバ接続情報；例えば、ＶＯＤサーバ４の名前）が含まれているものとする。即ち、プライベートチャネルの内容によって、接続先ＶＯＤサーバを区別できる。
【０１０３】
また、プライベートチャネルレゾルバ３が、前記ＳＴＢ２に付与されたＩＰｖ６ネットワークアドレス中のＩＰｖ６ネットワークプレフィックスを取得し、該ＩＰｖ６ネットワークプレフィックスと前記コンテンツＩＤの組み合わせに応じて、ＶＯＤサーバ４に接続できる情報を割り当てても良い。
【０１０４】
次に、前記ＳＴＢ２は、前記の回答を受信し、該回答中のＶＯＤサーバ接続情報に基づいて、接続要求を前記ＶＯＤサーバ４に対して送信する（Ｍ１０８）。
【０１０５】
次に、前記ＶＯＤ４サーバは、前記接続要求に応じて、所定の操作（例えば、前記ｉＳＣＳＩプライベートストレージ装置５に対するｉＳＣＳＩ接続）を行い、接続完了を前記ＳＴＢ２に対して送信する（Ｍ１０９）。
【０１０６】
次に、前記ＳＴＢ２は、コンテンツ要求（例えば、コンテンツＩＤを含むコンテンツ要求）を前記ＶＯＤサーバ４に対して送信する（Ｍ１１０）。なお、前記コンテンツ要求に係る通信には、ＲＴＳＰが使用されることが好ましい。
【０１０７】
次に、前記ＶＯＤ４サーバとＳＴＢ２間で、能力ネゴシエーションを行う（Ｍ１１１）。
【０１０８】
次に、前記ＶＯＤ４サーバは、前記ＳＴＢ２に対して、映像ストリーミングを送信する（Ｍ１１２）。なお、前記映像ストリーミングに係る通信には、ＵＤＰもしくはＲＴＰが使用されることが好ましい。
【０１０９】
そして、前記ＳＴＢ２は、前記ＶＯＤ視聴者１８に対して、番組を表示する（Ｍ１１３）。
【０１１０】
［本実施の第２形態］
本実施の第２形態を図３乃至図６に基づいて以下に説明する。本実施の第２形態は、宅内端末を使用するサービス利用者が、サービス提供者のシステムを介して、コンテンツサービスの電子チケットを取得し、そして、該サービス利用者が該サービス利用者のＳＴＢによってコンテンツホルダ（該サービス利用者以外のコンテンツホルダ）所有のコンテンツを視聴する映像コンテンツ視聴システムである。なお、本実施の第２形態は、サービス提供者，サービス利用者，コンテンツホルダのシステムを含むものである。
【０１１１】
前記サービス利用者のシステムは、図３中の符号１，２で示す装置を有している。
【０１１２】
符号１で示す装置は、図３中のＦＴＴＨ回線（例えば、１００ＢＡＳＥＴＸコネクタ）を介してインターネットプロバイダとインターネット接続を可能とし、該ＦＴＴＨ回線を介してＩＰｖ６網／ＦＴＴＨ回線１０１（即ち、ＩＰｖ６網の固定アドレス付与されているＦＴＴＨ回線）に対して接続できるＩＰｖ４／ＩＰｖ６デュアルスタックを実装し、ＷＥＢページにアクセス可能な宅内端末（例えば、パーソナルコンピュータ）である。
【０１１３】
なお、前記ＩＰｖ６網／ＦＴＴＨ回線１０１は、固定ＩＰｖ６アドレスを採用し、ＩＰｖ６アドレスの上位６４ビット（即ち、ＩＰｖ６ネットワークプレフィックス）は、ＦＴＴＨ回線に対して１対１にマッピングされるものとする。即ち、ＩＰｖ６網／ＦＴＴＨ回線は、ＩＰｖ６網内のＩＰｖ６ネットワークプレフィックスを付与されたＦＴＴＨ回線である。
【０１１４】
符号２で示す装置は、ＦＴＴＨ回線を介してＩＰｖ６網上（即ち、ＩＰｖ６網／ＦＴＴＨ回線１０１上）のＶＯＤサーバ４に接続できるＳＴＢ（ＩＰｖ６固定アドレスを付与されたＳＴＢ）である。
【０１１５】
前記サービス提供者のシステムは、図３中の符号３，４，６〜９で示す装置を有する。
【０１１６】
符号８で示す装置は、ＢＬＯＧなどのＷＥＢベースサービスを提供するＷＥＢサーバである。
【０１１７】
符号９で示す装置は、宅内端末１に対して、ＳＴＢ２に対するプライベートチャネル設定に係るパラメータを付与するサーバ（以後、チケットサーバと称する）である。
【０１１８】
符号４で示す装置は、ＶＯＤサービスを提供するサーバ（以後、ＶＯＤサーバと称する）である。なお、前記ＶＯＤサーバ４は、ｉＳＣＳＩ技術による負荷特性に対応する必要があるため、前記ＶＯＤサーバ４の代わりに図１中の仮想専用サーバ採用ＶＯＤサーバ４Ａでも良い。
【０１１９】
符号３で示す装置は、前記ＶＯＤサーバ（即ち、ＳＴＢ２がプライベートチャネルを介してアクセスするＶＯＤサーバ）４に対するアクセス情報を提供するサーバ（以後、プライベートチャネルレゾルバと称する）である。
【０１２０】
符号７で示す装置は、プライベートチャネルレゾルバ３に対する接続可否を制御するための認証情報を扱うサーバ（以後、認証サーバと称する）である。なお、前記認証サーバは、ＩＰｖ６網／ＦＴＴＨ回線１０１からもアクセス可能とする。
【０１２１】
符号６で示す装置は、プライベートコンテンツと、該コンテンツを蓄積したストレージ装置の所在（例えば、ＦＴＴＨ回線）情報のマッピング情報を管理する装置（以後、ＣＩＤ（Ｃｏｎｔｅｎｔｓ  ＩＤ）マネージャと称する）６である。
【０１２２】
前記のコンテンツホルダのシステムは、符号５で示す装置を有している。
【０１２３】
符号５は、コンテンツを格納するストレージ装置（以後、ｉＳＣＳＩプライベートストレージ装置と称する；ｉＳＣＳＩ  ｔａｒｇｅｔ機能を有するストレージ装置）である。前記ｉＳＣＳＩプライベートストレージ装置５は、ＦＴＴＨ回線を介してＩＰｖ６網／ＦＴＴＨ回線１０１に接続することができる。なお、前記の接続には、プライベートストレージ装置に接続されるｉＳＣＳＩ終端機能（例えば、ｉＳＣＳＩ  ｔａｒｇｅｔ装置）を用いることとする。また、前記ｉＳＣＳＩ終端装置とストレージ装置間の接続は汎用インタフェース（例えば、ＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃ  Ｅｎｇｉｎｅｅｒｓ）１９３４，ＵＳＢ（Ｕｎｉｖｅｒｓａｌ  Ｓｅｒｉａｌ  Ｂｕｓ），ＳＣＳＩ）を採用する。
【０１２４】
本実施の第２形態における手順を以下に説明する。
【０１２５】
まず、サービス利用者は図３中のＷＥＢサーバ８内の所定コンテンツ（即ち、一意のコンテンツＩＤを有するコンテンツ）に対して、前記宅内端末１を介して、ＶＯＤサーバ４が提供する高画質視聴を要求する（即ち、映像コンテンツ視聴要求を、ＩＰｖ４網を介して送信する）（Ｍ２０１）。なお、前記の映像コンテンツ視聴要求は、例えば、前記コンテンツの所定箇所をマウスでクリックするか、２次元バーコード読み取りによって行われるものとする。
【０１２６】
次に、前記のＷＥＢサーバ８は、前記映像コンテンツ視聴要求を受信し、選択されたコンテンツを視聴するために、電子チケット発券要求をチケットサーバ９に対して送信する（Ｍ２０２）。なお、前記電子チケット発券要求は、図４中のコンテンツＩＤ  ｄ１を含むものとする。
【０１２７】
次に、前記チケットサーバ９は、前記電子チケット発券要求を受信し、プライベートストレージ接続要求（即ち、映像コンテンツ視聴準備要求）をＶＯＤサーバ（選択されたコンテンツが搭載されたＶＯＤサーバ）４に対して送信する（Ｍ２０３）。
【０１２８】
なお、前記接続要求は、図４中のコンテンツＩＤ  ｄ１を含むものとする。また、前記のチケットサーバ９とＶＯＤサーバ４間では、ＩＰのバージョンが異なるため、該チケットサーバ９がＩＰｖ４／ＩＰｖ６デュアルスタック機能を有するか、該チケットサーバ９とＶＯＤサーバ４間にトランスレータが設置されていること、とする。
【０１２９】
次に、前記ＶＯＤサーバ４は、前記のプライベートストレージ接続要求を受信し、ＣＩＤマネージャ６に対して、選択されたコンテンツを搭載したプライベートストレージに対するｉＳＣＳＩ接続パラメータ要求を送信する（Ｍ２０４）。なお、前記のｉＳＣＳＩ接続パラメータ要求は、図４中のコンテンツＩＤ  ｄ１を含むものとする。
【０１３０】
次に、前記ＣＩＤマネージャ６は、前記ｉＳＣＳＩ接続パラメータ要求を受信し、提示された図４中のコンテンツＩＤ  ｄ１に基づくｉＳＣＳＩ接続パラメータＤ１を前記ＶＯＤサーバ４に対して送信する（Ｍ２０５，図４中の符号ＯＰ１）。
【０１３１】
次に、前記ＶＯＤサーバ４は、受信した図４中のｉＳＣＳＩ接続パラメータＤ１に基づき、前記ｉＳＣＳＩプライベートストレージ装置５に対して、ｉＳＣＳＩ接続要求を送信する（Ｍ２０６）。
【０１３２】
次に、前記ｉＳＣＳＩプライベートストレージ装置５は、受信したｉＳＣＳＩ接続要求に対する所定の処理（例えば、選択されたコンテンツに対するアクセス準備やディスクマウント処理）を行い、前記ＶＯＤサーバ４に対してｉＳＣＳＩ接続完了を送信する（Ｍ２０７）。
【０１３３】
次に、前記ＶＯＤサーバ４は、前記ｉＳＣＳＩ接続完了を受信し、選択されたコンテンツの視聴準備完了をチケットサーバ９に対して送信する（Ｍ２０８）。なお、前記視聴準備完了は、ＶＯＤサーバ４のＶＯＤサーバ名（即ち、図５中のＶＯＤサーバ名ｄ２）を含む。
【０１３４】
次に、前記チケットサーバ９は、前記視聴準備完了を受信し、認証サーバ７に対して、ワンタイムＩＤ及びワンタイムＰＷ（Ｐａｓｓｗｏｒｄ）発行要求を送信する（Ｍ２０９）。
【０１３５】
次に、前記認証サーバ７は、前記のワンタイムＩＤ及びワンタイムＰＷ発行要求を受信し、図５中のワンタイムＩＤ  ｄ３及びワンタイムＰＷ  ｄ４を生成し、該ワンタイムＩＤ  ｄ３及びワンタイムＰＷ  ｄ４をチケットサーバ９に対して送信する（Ｍ２１０）。
【０１３６】
次に、前記チケットサーバ９は、前記のワンタイムＩＤ及びワンタイムＰＷを受信し、前記ワンタイムＩＤ  ｄ３及びワンタイムＰＷ  ｄ４を含む電子チケットＤ２を発券し、該電子チケットＤ２をＷＥＢサーバ８に対して送信する（Ｍ２１１，図５中の符号ＯＰ２）。
【０１３７】
次に、前記ＷＥＢサーバ８は、前記の電子チケットＤ２を受信し、前記宅内端末（即ち、発券要求元端末）１に対して、電子チケットＤ２を送信する（Ｍ２１２，図５中の符号ＯＰ２）。
【０１３８】
次に、前記宅内端末１は、前記電子チケットＤ２を受信し、ＩＰｖ６スタックを介して、前記プライベートチャネルレゾルバ３に対して前記電子チケットＤ３を送信する（Ｍ２１３及び図６中の符号ＩＰ１）。なお、前記電子チケットＤ３は、ＳＴＢ２が使用するＦＴＴＨ回線に付与されたＩＰｖ６ネットワークプレフィックス（即ち、図６中の符号ｄ５）を含む。
【０１３９】
次に、前記プライベートチャネルレゾルバ３は、前記電子チケットＤ３を受信し、認証サーバ７に対して、ワンタイムＩＤ  ｄ３及びワンタイムＰＷ  ｄ４を含む認証要求を送信する（Ｍ２１４）。
【０１４０】
なお、前記の認証は、ＩＰｖ６ネットワークプレフィックス（即ち、ＳＴＢ２が接続されたＦＴＴＨ回線）とコンテンツＩＤの組み合わせに対する認証とも見做すこともできる。また、前記認証サーバ７とプライベートチャネルレゾルバ３間では、ＩＰのバージョンが異なるため、該認証サーバ７がＩＰｖ４／ＩＰｖ６デュアルスタック機能を有するか、認証サーバ７とプライベートチャネルレゾルバ３間にトランスレータが設置されていること、とする。
【０１４１】
次に、前記の認証サーバ７は、前記ワンタイムＩＤ  ｄ３及びワンタイムＰＷ  ｄ４に基づく認証を行い、認証完了を前記プライベートチャネルレゾルバ３に対して送信する（Ｍ２１５）。
【０１４２】
次に、前記プライベートチャネルレゾルバ３は、前記の認証完了を受信し、前記宅内端末１に対して、プライベートチャネル設定完了通知（即ち、映像コンテンツ視聴準備完了通知）を送信する（Ｍ２１６）。
【０１４３】
なお、前記電子チケットＤ３中に含まれる前記コンテンツＩＤを電子通信（例えば、ＩＰｖ６網／ＦＴＴＨ回線１０１を介するＩＰ通信）または前記サービス利用者の手入力によってＳＴＢ２に通知するものとする。
【０１４４】
次に、前記ＶＯＤサーバ４に接続できるＳＴＢ２を用いて、プライベートチャネルを選択し、プライベートチャネルレゾルバ３に対して、前記のＷＥＢサーバ８上で指定したコンテンツの視聴要求（前記コンテンツＩＤを含む視聴要求）を送信する（Ｍ２１７）。なお、前記視聴要求は、前記コンテンツＩＤを含むものとする。
【０１４５】
次に、前記プライベートチャネルレゾルバ３は、前記ＳＴＢ２からの接続によって得られるＳＴＢ２のＩＰｖ６アドレス中のＩＰｖ６ネットワークプリフィックスを前記電子チケットＤ３中のＩＰｖ６ネットワークプリフィックスに基づいて検証する。前記検証が成功した場合に、前記プライベートチャネルレゾルバ３は、ＶＯＤサーバに対する接続パラメータ（例えば、ＶＯＤサーバ名，コンテンツＩＤ）を前記ＳＴＢ２に対して送信する（Ｍ２１８）。なお、前記の接続パラメータは、前記プライベートチャネルレゾルバ３に登録済みの電子チケット（即ち、プライベートチャネルと見做して設定された電子チケット）Ｄ３に含まれる。
【０１４６】
次に、前記ＳＴＢ２は、前記プライベートチャネルレゾルバ３から受け取った接続パラメータに基づいて、前記ＶＯＤサーバ４に対して接続要求を送信する（Ｍ２１９）。
【０１４７】
次に、前記ＶＯＤサーバ４は、前記ＳＴＢ２に対して接続完了を送信する（Ｍ２２０）。
【０１４８】
そして、サービス利用者は、前記ＳＴＢ２を介して、所望の視聴を開始する。
【０１４９】
［本実施の第３形態］
本実施の第３形態を図７乃至図８に基づいて以下に説明する。本実施の第３形態は、携帯電話を使用するサービス利用者が、サービス提供者のシステムを介して、コンテンツサービスの電子チケットを取得し、そして、該サービス利用者が該サービス利用者のＳＴＢによってコンテンツホルダ（該サービス利用者以外のコンテンツホルダ）所有のコンテンツを視聴する映像コンテンツ視聴システムである。なお、本実施の第３形態は、サービス提供者，サービス利用者，コンテンツホルダのシステムを含むものである。
【０１５０】
前記サービス利用者のシステムは、図７中の符号２，１０で示す装置を有している。
【０１５１】
なお、図７中のＩＰｖ６網／ＦＴＴＨ回線１０１は、固定ＩＰｖ６アドレスを採用し、ＩＰｖ６アドレスの上位６４ビット（即ち、ＩＰｖ６ネットワークプレフィックス）は、ＦＴＴＨ回線に対して１対１にマッピングされるものとする。
【０１５２】
符号１０で示す装置は、携帯電話である。前記携帯電話１０を用いて、携帯電話網１０２を介し、操作を行うこととする。なお、好ましくは、前記携帯電話１０が２次元バーコードリーダ機能を備えていると良い。
【０１５３】
符号２で示す装置は、図３中の同符号で示すものと同じものであるため、詳細な説明は省略する。
【０１５４】
前記のサービス提供者のシステムは、図７中の符号３，４，６，１２，１３で示す装置を有している。なお、符号３，４，６で示す装置は、図３中の同符号で示すものと同じであるため、詳細な説明は省略する。
【０１５５】
符号１２で示す装置は、携帯電話から送信されたコンテンツ視聴準備要求に応じて、前記ＦＭ−ＤＢ，ＶＯＤサーバ，プライベートチャネルリゾルバにアクセス、コンテンツ視聴準備を行うエージェント（以後、プライベートチャネルエージェントと称する）である。
【０１５６】
符号１３で示す装置は、ＩＰｖ６ネットワークプレフィックスと携帯電話番号のマッピング情報を管理するデータベース（以後、ＦＭ−ＤＢ（Ｆｉｘｅｄ−Ｍｏｂｉｌｅ  Ｄａｔａｂａｓｅ）と称する）である。
【０１５７】
前記コンテンツホルダのシステムは、図３と同じ構成とする。
【０１５８】
本実施の第３形態における手順を以下に説明する。
【０１５９】
まず、図７中の携帯電話１０は、各種メディア（例えば、ＷＥＢページ，ｉ−ｍｏｄｅ（登録商標），雑誌）１１から所望の動画コンテンツのコンテンツＩＤ，プライベートチャネル設定を行うプライベートチャネルエージェント１２に対するアクセス情報（例えば、電話番号，ＵＲＬ）を入手する（Ｍ３０１）。
【０１６０】
なお、前記のアクセス情報の形式（あるいは、フォーマット）は、例えば、英数字文字列，２次元バーコードのような情報とする。
【０１６１】
次に、前記の入手した情報に基づいて、プライベートチャネルエージェント１２に対し携帯電話網１０２を介してアクセスし、映像コンテンツ視聴要求（即ち、前記コンテンツＩＤ，前記携帯電話１０の電話番号を含むパラメータ）を投入する（Ｍ３０２）。
【０１６２】
次に、前記プライベートチャネルエージェント１２は、前記パラメータを受信し、ＩＰｖ６網／ＦＴＴＨ回線を介して、プライベートストレージ接続要求（即ち、コンテンツ視聴準備要求）をＶＯＤサーバ（選択されたコンテンツが搭載されたＶＯＤサーバ）４に対して送信する（Ｍ３０３）。
【０１６３】
次に、図７中の符号Ｍ３０４乃至Ｍ３０７における手順は、図３中の符号Ｍ２０４乃至Ｍ２０７における手順と同じものを行う。
【０１６４】
次に、前記ＶＯＤサーバ４は、選択されたコンテンツ視聴準備完了（即ち、プライベートストレージ接続完了）を前記プライベートチャネルエージェント１２に対して送信する（Ｍ３０８）。なお、前記視聴準備完了は、ＶＯＤサーバ４のＶＯＤサーバ名（即ち、図８中のＶＯＤサーバ名ｄ２）を含む。
【０１６５】
次に、前記プライベートチャネルエージェント１２は、前記コンテンツ視聴準備完了を受信し、前記ＦＭ−ＤＢ１３に対して、問い合わせ（携帯電話１０の電話番号を含む問い合せ）を送信する（Ｍ３０９）。なお、図８中では、携帯電話１０がアクセス元である。
【０１６６】
次に、前記ＦＭ−ＤＢ１３は、前記問い合わせを受信し、前記の電話番号に対応するＩＰｖ６ネットワークプリフィックス（例えば、図８中のＩＰｖ６ネットワークプリフィックスｄ５；即ち、ＳＴＢ２が使用するＦＴＴＨ回線に付与されたＩＰｖ６ネットワークプレフィックス）を取得し、前記プライベートチャネルエージェント１２に対して、該ＩＰｖ６ネットワークプリフィックスを送信する（Ｍ３１０）。
【０１６７】
次に、前記プライベートチャネルエージェント１２は、前記ＩＰｖ６ネットワークプリフィックスを受信し、図８中のプライベートチャネル設定情報Ｄ４を作成し、該プライベートチャネル設定情報Ｄ４を図７中のプライベートチャネルレゾルバ３に対して送信する（Ｍ３１１，図８中の符号ＩＰ２）。
【０１６８】
次に、前記プライベートチャネルレゾルバ３は、前記プライベートチャネル設定情報Ｄ４を受信し、該プライベートチャネル設定情報Ｄ４を電子チケット（即ち、プライベートチャネル）と見做して設定し、前記プライベートチャネルエージェント１２に対して該プライベートチャネル設定完了を送信する（Ｍ３１２）。
【０１６９】
次に、前記プライベートチャネルエージェント１２は、前記プライベートチャネル設定完了を受信し、前記の携帯電話１０に対して、前記プライベートチャネル設定完了（即ち、映像コンテンツ視聴準備完了）を送信する（Ｍ３１３）。
【０１７０】
なお、携帯電話１０によって入手した前記コンテンツＩＤは、電子通信（例えば、該携帯電話１０及びＳＴＢ２に備えられた赤外線通信）または前記サービス利用者の手入力によってＳＴＢ２に通知されるものとする。
【０１７１】
次に、前記ＶＯＤサーバ４に接続できるＳＴＢ２を用いて、プライベートチャネルを選択し、プライベートチャネルレゾルバ３に対して、コンテンツの視聴要求を送信する（Ｍ３１４）。なお、前記視聴要求は、前記コンテンツＩＤを含むものとする。
【０１７２】
次に、前記プライベートチャネルレゾルバ３は、前記ＳＴＢ２からの接続によって得られるＳＴＢ２のＩＰｖ６アドレス中のＩＰｖ６ネットワークプリフィックスを前記プライベートチャネル設定情報（即ち、電子チケット）Ｄ４中のＩＰｖ６ネットワークプリフィックスに基づいて検証する。前記検証が成功した場合に、前記プライベートチャネルレゾルバ３は、ＶＯＤサーバに対する接続パラメータ（例えば、ＶＯＤサーバ名，コンテンツＩＤ）を前記ＳＴＢ２に対して送信する（Ｍ３１５）。なお、前記の接続パラメータは、前記プライベートチャネルレゾルバ３に登録済みの電子チケット（即ち、プライベートチャネル設定情報）Ｄ４に含まれる。
【０１７３】
次に、前記ＳＴＢ２は、前記プライベートチャネルレゾルバ３から受け取った接続パラメータに基づいて、前記ＶＯＤサーバ４に対して接続要求を送信する（Ｍ３１６）。
【０１７４】
次に、前記ＶＯＤサーバ４は、前記の接続要求を受信し、前記ＳＴＢ２に対して接続完了を送信する（Ｍ３１７）。
【０１７５】
そして、サービス利用者は、前記ＳＴＢ２を介して、所望の視聴を開始する。
【０１７６】
［本実施の第４形態］
本実施の第４形態を図９に基づいて以下に説明する。本実施の第４形態は、映像コンテンツ管理者（或いは、所有者）が、映像コンテンツを搭載したプライベートストレージを所有し、該映像コンテンツを公開する映像コンテンツ公開システムである。なお、本実施の第４形態は、映像コンテンツ公開管理サービス利用者，映像コンテンツ公開管理サービス提供者のシステムを含むものである。
【０１７７】
なお、前記映像コンテンツ公開管理サービス利用者のシステムは、図９中のＦＴＴＨ回線（例えば、１００ＢＡＳＥＴＸコネクタ）を介してインターネットプロバイダとインターネット接続を可能とし、該インターネット上のＡＳＰ（Ａｐｐｌｉｃａｔｉｏｎ  Ｓｅｒｖｉｃｅ  Ｐｒｏｖｉｄｅｒ）事業者等の提供するＢＬＯＧサービスまたはＷＥＢホームページサービス（例えば、図９中のＷＥＢサーバ８によるサービス）を利用できるものとする。
【０１７８】
前記映像コンテンツ公開管理サービス利用者のシステムは、符号１，５，１４で示す装置を有している。
【０１７９】
符号１で示す装置は、前記ＦＴＴＨ回線を介して、ＩＰｖ６網／ＦＴＴＨ回線１０１（即ち、ＦＴＴＨ回線に固定アドレス付与されている網）に対して接続可能とするＩＰｖ４／ＩＰｖ６デュアルスタックを実装し、ＷＥＢページ（または、ＢＬＯＧページ）にアクセス可能な宅内端末（即ち、映像コンテンツ登録用端末）である。
【０１８０】
なお、前記の宅内端末１は、例えば、インターネットブラウザを搭載したパーソナルコンピュータである。また、前記ＩＰｖ６網／ＦＴＴＨ回線１０１は、固定ＩＰｖ６アドレスを採用し、ＩＰｖ６アドレスの上位６４ビット（即ち、ＩＰｖ６ネットワークプレフィックス）は、ＦＴＴＨ回線に対して１対１でマッピングされるものとする。
【０１８１】
符号５’で示す装置は、大容量のストレージ装置（以後、プライベートストレージ装置と称する；ｉＳＣＳＩ  ｔａｒｇｅｔ機能を持たないストレージ装置）である。前記プライベートストレージ装置５’は、前記宅内端末１と接続されており、該宅内端末１から映像コンテンツファイル１５に対してアクセスできる。なお、前記プライベートストレージ装置５’は、前記映像コンテンツ公開管理サービス利用者が公開する大容量の映像コンテンツファイル１５を蓄積可能である。
【０１８２】
符号１４で示す装置は、ｉＳＣＳＩ  ｔａｒｇｅｔ機能を有し、かつ、前記プライベートストレージ装置５’と接続可能な装置（以後、ｉＳＣＳＩ  ｇａｔｅｗａｙ装置と称する）である。
【０１８３】
前記の映像コンテンツ公開管理サービス提供者のシステムは、図３及び図７に示されるようなＶＯＤサーバ４，ＣＩＤマネージャ６を有する。
【０１８４】
前記ＶＯＤサーバ４は、前記ｉＳＣＳＩ  ｇａｔｅｗａｙ装置１４がＩＰｖ６網／ＦＴＴＨ回線１０１を介して接続可能なサーバである。なお、前記ＶＯＤサーバ４は、ｉＳＣＳＩ技術による負荷特性に対応する必要があるため、前記ＶＯＤサーバ４の代わりに図１中の仮想専用サーバ採用ＶＯＤサーバ４Ａでも良い。
【０１８５】
そして、前記ＶＯＤサーバ４のｉＳＣＳＩ接続完了後に、ＶＯＤサーバ４によって公開される映像コンテンツが、アクセスされることになる。
【０１８６】
また、前記ＣＩＤマネージャ６は、前記宅内端末１がＩＰｖ６網／ＦＴＴＨ回線１０１を介してアクセス可能な装置として、ＩＰｖ６網上に設置されている。
【０１８７】
本実施の第４形態における手順を以下に説明する。
【０１８８】
まず、図９中の宅内端末１にプライベートストレージ装置５’を接続し、該宅内端末１の外付けハードディスクとしてアクセス可能な状態にする（Ｍ４０１）。なお、前記プライベートストレージ装置５’のファイルシステムは、ＶＯＤサーバ４のファイルシステムと共通のものとする。また、映像コンテンツのファイル形式は、ＶＯＤサーバ４がサポートするファイル形式（例えば、ＭＰＥＧ−２形式）と同じものとする。
【０１８９】
次に、前記映像コンテンツ公開管理サービス利用者は、前記宅内端末１を使って、前記ＷＥＢサーバ８に対してログインし、該映像コンテンツ公開管理サービス利用者自身のＢＬＯＧページを更新する（Ｍ４０２）。なお、前記ＷＥＢサーバ８はＡＳＰ事業者が提供するＢＬＯＧサーバである。
【０１９０】
次に、前記映像コンテンツ公開管理サービス利用者は、プライベートストレージ装置５’に蓄積された映像コンテンツ（即ち、映像コンテンツファイル１５）を自らのＢＬＯＧページに登録するために、該映像コンテンツファイル１５を一意に識別するためのコンテンツＩＤ発行要求を、前記宅内端末１を介しＣＩＤマネージャ６に対して送信する（Ｍ４０３）。
【０１９１】
なお、前記コンテンツＩＤ発行要求は、前記映像コンテンツファイル１５を一意に識別するファイル名，ｉＳＣＳＩ  ｇａｔｅｗａｙ装置１４のｉＳＣＳＩ接続パラメータ及びＩＰｖ６ネットワークプレフィックスを含むものとする。
【０１９２】
次に、前記ＣＩＤマネージャ６は、前記コンテンツＩＤ発行要求を受信し、前記のＩＰｖ６ネットワークプレフィックスと前記映像コンテンツファイル１５のファイル名の組み合わせに基づいて、一意となるコンテンツＩＤを発行し、該コンテンツＩＤを前記宅内端末１に対して送信する（Ｍ４０４）。
【０１９３】
なお、前記ＣＩＤマネージャ６は、前記コンテンツＩＤ，前記のｉＳＣＳＩ接続パラメータ，前記のＩＰｖ６ネットワークプレフィックスの組み合わせを該ＣＩＤマネージャ６自体に登録する。また、前記の登録されるコンテンツＩＤは、ｉＳＣＳＩ  ｇａｔｅｗａｙ装置１４のＩＰｖ６ネットワークプレフィックスと、前記映像コンテンツファイル１５のファイル名と、を文字列化したものでも良い。
【０１９４】
次に、前記宅内端末１は、前記コンテンツＩＤを受信し、該コンテンツＩＤをＷＥＢサーバ８のＢＬＯＧページに、ＩＰｖ４網１００を介して、登録する（Ｍ４０５）。なお、前記宅内端末１は、前記コンテンツＩＤに対応する２次元バーコードを生成し、前記ＢＬＯＧページに登録することが望ましい。例えば、画像をＢＬＯＧページに貼り付けるように該２次元バーコードを貼り付ける（登録する）。
【０１９５】
次に、前記ＷＥＢサーバ８は、前記の登録を受けて、コンテンツＩＤ登録完了を宅内端末１に対して送信する（Ｍ４０６）。
【０１９６】
次に、前記映像コンテンツ公開管理サービス利用者は、プライベートストレージ装置５’を公開するために、前記宅内端末１と該プライベートストレージ装置５’間の接続を切り離す（Ｍ４０７）。なお、前記の切り離しは、物理的な切り離し操作（例えば、プライベートストレージ装置５’の接続プラグを宅内端末１から外す操作）も含む。
【０１９７】
次に、前記映像コンテンツ公開管理サービス利用者は、プライベートストレージ装置５’を公開するために、前記ｉＳＣＳＩ  ｇａｔｅｗａｙ装置１４と該プライベートストレージ装置５’間を接続する（Ｍ４０８）。なお、前記の接続は物理的な接続操作（例えば、プライベートストレージ装置５’の接続プラグをｉＳＣＳＩ  ｇａｔｅｗａｙ装置１４に差し込む操作）も含む。
【０１９８】
なお、符号Ｍ４０７の切り離しと符号Ｍ４０８の接続操作は、ＩＥＥＥ１３９４  ｓｔｏｒａｇｅに見られるように、登録時におけるプライベートストレージ装置５’に係る接続と、公開時におけるプライベートストレージ装置５’に係る接続と、を切り替えて使用するためである。
【０１９９】
また、前記の宅内端末１とプライベートストレージ装置５’間，プライベートストレージ装置５’とｉＳＣＳＩ  ｇａｔｅｗａｙ装置１４間がそれぞれ物理的に接続されたままで（即ち、前記の物理的な切り替え操作を含まないように）、該宅内端末１から該宅内端末１と該プライベートストレージ装置５’間の接続を論理的（電子的）に切り離し（例えば、宅内端末１に組み込まれたプライベートストレージ装置１４のドライバソフトウェアを非活性化する）、該宅内端末１からｉＳＣＳＩプロトコルを介して該ｉＳＣＳＩ  ｇａｔｅｗａｙ装置１４に接続し、該ｉＳＣＳＩ  ｇａｔｅｗａｙ装置１４を用いて、該プライベートストレージ装置５’とｉＳＣＳＩ  ｇａｔｅｗａｙ装置１４間を論理的（電子的）に接続する（例えば、ｉＳＣＳＩ  ｇａｔｅｗａｙ装置１４に組み込まれたプライベートストレージ装置５’のドライバソフトウェアを活性化する）方法もある。
【０２００】
次に、前記映像コンテンツ公開管理サービス利用者は、前記ｉＳＣＳＩ  ｇａｔｅｗａｙ装置１４の電源を投入し、映像コンテンツの公開準備を完了する（Ｍ４０９）。
【０２０１】
次に、閲覧者から前記ＷＥＢサーバ８上の前記ＢＬＯＧに対して、ＩＰｖ４網１００上の閲覧端末を介してアクセスがあったものとする（Ｍ４１０）。
【０２０２】
次に、前記ＢＬＯＧに登録されたコンテンツＩＤが前記閲覧端末から選択され、該選択されたコンテンツＩＤに対応するプライベートストレージ装置５’に対する接続要求が、前記ＶＯＤサーバ４に対して送信されたものとする（Ｍ４１１）。
【０２０３】
なお、前記接続要求は、例えば、前記ＷＥＢサーバ８からトランスレータを介してＶＯＤサーバ４に対して送信されても良いし、ＩＰｖ６網／ＦＴＴＨ回線１０１上の閲覧端末からＶＯＤサーバ４に対して、直接送信されても良い。また、前記接続要求は、ＷＥＢサーバの機能とＶＯＤサーバの機能を合わせ持ち、かつ、デュアルスタック化されたサーバ内で処理されても良い。
【０２０４】
次に、前記ＶＯＤサーバ４は、前記ＣＩＤマネージャ６に対して、前記コンテンツＩＤに対応するｉＳＣＳＩ  ｇａｔｅｗａｙ装置１４に係るｉＳＣＳＩ接続情報要求を送信する（Ｍ４１２）。
【０２０５】
なお、前記ＶＯＤサーバ４が提供するサービスにおいて、該サービスに使用されるｉＳＣＳＩ接続がｉＳＣＳＩ認証無し、かつ、イニシエータ名無視に設定された場合に、ＩＰｖ６アドレスを構成する下位６４ビットは、特定の固定値とする。
【０２０６】
次に、前記ＣＩＤマネージャ６は、前記ｉＳＣＳＩ接続情報要求を受信し、前記ＶＯＤサーバ４に対してｉＳＣＳＩ接続情報を送信する（Ｍ４１３）。
【０２０７】
なお、前記ｉＳＣＳＩ接続情報は、ＩＰｖ６ネットワークプレフィックスを含むことを必須とする。
【０２０８】
次に、前記ＶＯＤサーバ４は、前記ｉＳＣＳＩ接続情報を受信し、前記ｉＳＣＳＩ接続情報に基づいて、前記ｉＳＣＳＩ  ｇａｔｅｗａｙ装置１４に対し、ｉＳＣＳＩ接続要求を送信する（Ｍ４１４）。
【０２０９】
次に、前記ｉＳＣＳＩ  ｇａｔｅｗａｙ装置１４は、前記ｉＳＣＳＩ接続要求を受信し、プライベートストレージ装置５’を前記サービス固定のマウントポイントにマウントする。
【０２１０】
そして、前記閲覧端末を操作する閲覧者に対する前記映像コンテンツファイル１５の公開視聴準備を完了する。
【０２１１】
以上示したように、本実施の第１乃至第４形態によれば、インターネットホームページに関連する動画像を放送品質で視聴することができるだけでなく、紙ベースの情報から放送品質の動画を容易に入手できる。
【０２１２】
また、ＶＯＤシステム所有者にとっても、視聴できるコンテンツのジャンルを広げる効果が期待でき、普及の始まったＦＴＴＨ回線でこそ実現可能な、新しいコミュニケーション手段として期待できる。
【０２１３】
さらに、個人コンテンツに関して、ビット単価の高い事業者向け装置でなく、個人管理の市販ストレージ装置を適応することで、放送品質の動画を数多く、低コストで提供することができる。
【０２１４】
以上、本発明において、記載された具体例に対してのみ詳細に説明したが、本発明の技術思想の範囲で多彩な変形および修正が可能であることは、当業者にとって明白なことであり、このような変形および修正が特許請求の範囲に属することは当然のことである。
【０２１５】
例えば、前記プライベートチャネルリゾルバの機能を、番組配信サーバに備えさせても良い。
【図面の簡単な説明】
【０２１６】
【図１】本実施の第１形態におけるＶＯＤシステムの構成図。
【図２】本実施の第１形態におけるＶＯＤシステムのシーケンス図。
【図３】本実施の第２形態における映像コンテンツ視聴システムの構成図。
【図４】本実施の第２形態におけるｉＳＣＳＩ接続パラメータのデータ構成図。
【図５】本実施の第２形態における電子チケットの第１データ構成図。
【図６】本実施の第２形態における電子チケットの第２データ構成図。
【図７】本実施の第３形態における映像コンテンツ視聴システムの構成図。
【図８】本実施の第３形態におけるプライベートチャネル設定情報のデータ構成図。
【図９】本実施の第４形態における映像コンテンツ公開システムの構成図。
【図１０】一般的なＶＯＤシステムの構成図。
【図１１】一般的なＶＯＤシステムのシーケンス図。
【符号の説明】
【０２１７】
１…宅内端末
２…ＳＴＢ
３…プライベートチャネルレゾルバ
４…ＶＯＤサーバ
４Ａ…仮想専用サーバ採用ＶＯＤサーバ
５…ｉＳＣＳＩプライベートストレージ装置
５’…プライベートストレージ装置
６…ＣＩＤマネージャ
７…認証サーバ
８…ＷＥＢサーバ
９…チケットサーバ
１０…携帯電話
１１…メディア
１２…プライベートチャネルエージェント
１３…ＦＭ−ＤＢ
１４…ｉＳＣＳＩ  Ｇａｔｅｗａｙ装置
１５…映像コンテンツファイル
１６…番組配信サーバ
１７…コモンストレージ
１８…ＶＯＤ視聴者
１００…ＩＰｖ４網
１０１…ＩＰｖ６網／ＦＴＴＨ回線
１０２…携帯電話網
１０３…ＦＴＴＨ回線／ｉＳＣＳＩ
Ｄ１…ｉＳＣＳＩ接続パラメータ
Ｄ２，Ｄ３…電子チケット
Ｄ４…プライベートチャネル設定情報
ｄ１…コンテンツＩＤ
ｄ２…ＶＯＤサーバ名
ｄ３…ワンタイムＩＤ
ｄ４…ワンタイムＰＷ
ｄ５…ＩＰｖ６ネットワークプレフィックス
【図１】
0004801417.tif 000002
【図２】
0004801417.tif 000003
【図３】
0004801417.tif 000004
【図４】
0004801417.tif 000005
【図５】
0004801417.tif 000006
【図６】
0004801417.tif 000007
【図７】
0004801417.tif 000008
【図８】
0004801417.tif 000009
【図９】
0004801417.tif 000010
【図１０】
0004801417.tif 000011
【図１１】
0004801417.tif 000012